(57)【特許請求の範囲】
【請求項１】
現在接続される第１の無線通信装置から移動体に搭載される第２の無線通信装置へ接続先を切り替える切替要求を送信する移動端末と、
前記第１の無線通信装置の種別に応じた前記第１の無線通信装置から前記第２の無線通信装置への接続先の切替の可否設定に基づいて、前記移動端末が自装置から前記第２の無線通信装置に接続先を切り替えることの可否を判定する無線通信装置とを含み、
前記移動端末は、前記切替要求に前記第２の無線通信装置との接続履歴を含めて送信し、
前記無線通信装置は、前記可否設定に基づいて前記接続先の切替が不可能であると判定された場合に、前記第１の無線通信装置以前に前記第２の無線通信装置との接続履歴が前記切替要求に含まれるか否かを判定し、前記第１の無線通信装置以前に前記第２の無線通信装置との接続履歴が前記切替要求に含まれる場合には、前記移動端末の前記第１の無線通信装置から前記第２の無線通信装置への接続先の切替を許可し、前記第１の無線通信装置以前に前記第２の無線通信装置との接続履歴が前記切替要求に含まれない場合には、前記移動端末の前記第１の無線通信装置から前記第２の無線通信装置への接続先の切替を拒否する、
無線通信ネットワークシステム。
【請求項２】
現在接続される第１の無線通信装置から移動体に搭載される第２の無線通信装置へ接続先を切り替える切替要求を送信する移動端末と、
前記第１の無線通信装置の種別に応じた前記第１の無線通信装置から前記第２の無線通信装置への接続先の切替の可否設定に基づいて、前記移動端末が自装置から前記第２の無線通信装置に接続先を切り替えることの可否を判定する無線通信装置とを含み、
前記可否設定は、
前記第１の無線通信装置の種別が、前記移動体に対する乗降施設内の移動端末のために設置された第１の固定装置を示す場合に、前記第１の無線通信装置から前記第２の無線通信装置への接続先の切替が可能であると設定され、
前記第１の無線通信装置の種別が、前記第１の固定装置以外の固定装置を示す場合に、前記第１の無線通信装置から前記第２の無線通信装置への接続先の切替が不可能であると設定され、
前記第１の無線通信装置の種別が、前記移動体に搭載される移動装置を示す場合に、前記第１の無線通信装置から前記第２の無線通信装置への接続先の切替が不可能であると設定され、
前記移動端末は、前記切替要求に前記第２の無線通信装置との接続履歴を含めて送信し、
前記無線通信装置は、前記可否設定に基づいて前記接続先の切替が不可能であると判定された場合に、前記第１の無線通信装置以前に前記第２の無線通信装置との接続履歴が前記切替要求に含まれるか否かを判定し、前記第１の無線通信装置以前に前記第２の無線通信装置との接続履歴が前記切替要求に含まれる場合には、前記移動端末の前記第１の無線通信装置から前記第２の無線通信装置への接続先の切替を許可し、前記第１の無線通信装置以前に前記第２の無線通信装置との接続履歴が前記切替要求に含まれない場合には、前記移動端末の前記第１の無線通信装置から前記第２の無線通信装置への接続先の切替を拒否する、
無線通信ネットワークシステム。
【請求項３】
移動端末が現在接続される第１の無線通信装置の種別に応じた前記第１の無線通信装置から移動体に搭載された第２の無線通信装置への接続先の切替の可否設定を保持する記憶部と、
前記移動端末から切替要求を受信した場合に、前記移動端末が自装置から前記第２の無線通信装置に接続先を切り替えることの可否を前記可否設定に基づいて判定する判定部とを備え、
前記判定部は、前記可否設定に基づいて前記接続先の切替が不可能であると判定された場合に、前記第１の無線通信装置以前に前記第２の無線通信装置との接続履歴が前記切替要求に含まれるか否かを判定し、前記第１の無線通信装置以前に前記第２の無線通信装置との接続履歴が前記切替要求に含まれる場合には、前記移動端末が前記第１の無線通信装置から前記第２の無線通信装置に接続先を切り替えることを許可し、前記第１の無線通信装置以前に前記第２の無線通信装置との接続履歴が前記切替要求に含まれない場合には、前記移動端末が前記第１の無線通信装置から前記第２の無線通信装置に接続先を切り替えることを拒否する、
無線通信装置。
【請求項４】
移動端末が現在接続される第１の無線通信装置の種別に応じた前記第１の無線通信装置から移動体に搭載された第２の無線通信装置への接続先の切替の可否設定を保持する記憶部と、
前記移動端末から切替要求を受信した場合に、前記移動端末が自装置から前記第２の無線通信装置に接続先を切り替えることの可否を前記可否設定に基づいて判定する判定部とを備え、
前記可否設定は、
前記第１の無線通信装置の種別が、前記移動体に対する乗降施設内の移動端末のために設置された第１の固定装置を示す場合に、前記第１の無線通信装置から前記第２の無線通信装置への接続先の切替が可能であると設定され、
前記第１の無線通信装置の種別が、前記第１の固定装置以外の固定装置を示す場合に、前記第１の無線通信装置から前記第２の無線通信装置への接続先の切替が不可能であると設定され、
前記第１の無線通信装置の種別が、前記移動体に搭載される移動装置を示す場合に、前記第１の無線通信装置から前記第２の無線通信装置への接続先の切替が不可能であると設定され、
前記判定部は、前記可否設定に基づいて前記接続先の切替が不可能であると判定された場合に、前記第１の無線通信装置以前に前記第２の無線通信装置との接続履歴が前記切替要求に含まれるか否かを判定し、前記第１の無線通信装置以前に前記第２の無線通信装置
との接続履歴が前記切替要求に含まれる場合には、前記移動端末が前記第１の無線通信装置から前記第２の無線通信装置に接続先を切り替えることを許可し、前記第１の無線通信装置以前に前記第２の無線通信装置との接続履歴が前記切替要求に含まれない場合には、前記移動端末が前記第１の無線通信装置から前記第２の無線通信装置に接続先を切り替えることを拒否する、
無線通信装置。
【請求項５】
現在接続される第１の無線通信装置の種別に応じた前記第１の無線通信装置から移動体に搭載された第２の無線通信装置への接続先の変更の可否設定を保持する記憶部と、
前記記憶部に保持される前記可否設定に基づいて、前記第１の無線通信装置から前記第２の無線通信装置への接続先の変更の可否を判定する判定部とを備え、
前記記憶部は、前記第２の無線通信装置への接続履歴をさらに保持し、
前記判定部は、前記可否設定に基づいて前記接続先の変更が不可能であると判定された場合に、前記第１の無線通信装置以前に前記第２の無線通信装置との接続履歴が前記記憶部に保持されるか否かを判定し、前記第１の無線通信装置以前に前記第２の無線通信装置との接続履歴が前記記憶部に保持される場合には、前記第１の無線通信装置から前記第２の無線通信装置に接続先を変更することを許可し、前記第１の無線通信装置以前に前記第２の無線通信装置との接続履歴が前記記憶部に保持されない場合には、前記移動端末が前記第１の無線通信装置から前記第２の無線通信装置に接続先を変更することを拒否する、移動端末。
【請求項６】
現在接続される第１の無線通信装置の種別に応じた前記第１の無線通信装置から移動体に搭載された第２の無線通信装置への接続先の変更の可否設定を保持する記憶部と、
前記記憶部に保持される前記可否設定に基づいて、前記第１の無線通信装置から前記第２の無線通信装置への接続先の変更の可否を判定する判定部とを備え、
前記可否設定は、
前記第１の無線通信装置の種別が、前記移動体に対する乗降施設内の移動端末のために設置された第１の固定装置を示す場合に、前記第１の無線通信装置から前記第２の無線通信装置への接続先の変更が可能であると設定され、
前記第１の無線通信装置の種別が、前記第１の固定装置以外の固定装置を示す場合に、前記第１の無線通信装置から前記第２の無線通信装置への接続先の変更が不可能であると設定され、
前記第１の無線通信装置の種別が、前記移動体に搭載される移動装置を示す場合に、前記第１の無線通信装置から前記第２の無線通信装置への接続先の変更が不可能であると設定され、
前記記憶部は、前記第２の無線通信装置への接続履歴をさらに保持し、
前記判定部は、前記可否設定に基づいて前記接続先の変更が不可能であると判定された場合に、前記第１の無線通信装置以前に前記第２の無線通信装置との接続履歴が前記記憶部に保持されるか否かを判定し、前記第１の無線通信装置以前に前記第２の無線通信装置との接続履歴が前記記憶部に保持される場合には、前記第１の無線通信装置から前記第２の無線通信装置に接続先を変更することを許可し、前記第１の無線通信装置以前に前記第２の無線通信装置との接続履歴が前記記憶部に保持されない場合には、前記移動端末が前記第１の無線通信装置から前記第２の無線通信装置に接続先を変更することを拒否する、移動端末。
【請求項７】
移動端末が、現在接続される第１の無線通信装置から移動体に搭載される第２の無線通信装置へ接続先を切り替える切替要求を送信し、
無線通信装置が、前記第１の無線通信装置の種別に応じた前記第１の無線通信装置から前記第２の無線通信装置への接続先の切替の可否設定に基づいて、前記移動端末が自装置から前記第２の無線通信装置に接続先を切り替えることの可否を判定し、
前記移動端末は、前記切替要求に前記第２の無線通信装置との接続履歴を含めて送信し、
前記無線通信装置は、前記可否設定に基づいて前記接続先の切替が不可能であると判定された場合に、前記第１の無線通信装置以前に前記第２の無線通信装置との接続履歴が前記切替要求に含まれるか否かを判定し、前記第１の無線通信装置以前に前記第２の無線通信装置との接続履歴が前記切替要求に含まれる場合には、前記移動端末の前記第１の無線通信装置から前記第２の無線通信装置への接続先の切替を許可し、前記第１の無線通信装置以前に前記第２の無線通信装置との接続履歴が前記切替要求に含まれない場合には、前記移動端末の前記第１の無線通信装置から前記第２の無線通信装置への接続先の切替を拒否する、
接続先切替判定方法。
【請求項８】
移動端末が、現在接続される第１の無線通信装置から移動体に搭載される第２の無線通信装置へ接続先を切り替える切替要求を送信し、
無線通信装置が、前記第１の無線通信装置の種別に応じた前記第１の無線通信装置から前記第２の無線通信装置への接続先の切替の可否設定に基づいて、前記移動端末が自装置から前記第２の無線通信装置に接続先を切り替えることの可否を判定し、
前記可否設定は、
前記第１の無線通信装置の種別が、前記移動体に対する乗降施設内の移動端末のために設置された第１の固定装置を示す場合に、前記第１の無線通信装置から前記第２の無線通信装置への接続先の切替が可能であると設定され、
前記第１の無線通信装置の種別が、前記第１の固定装置以外の固定装置を示す場合に、前記第１の無線通信装置から前記第２の無線通信装置への接続先の切替が不可能であると設定され、
前記第１の無線通信装置の種別が、前記移動体に搭載される移動装置を示す場合に、前記第１の無線通信装置から前記第２の無線通信装置への接続先の切替が不可能であると設定され、
前記移動端末は、前記切替要求に前記第２の無線通信装置との接続履歴を含めて送信し、
前記無線通信装置は、前記可否設定に基づいて前記接続先の切替が不可能であると判定された場合に、前記第１の無線通信装置以前に前記第２の無線通信装置との接続履歴が前記切替要求に含まれるか否かを判定し、前記第１の無線通信装置以前に前記第２の無線通信装置との接続履歴が前記切替要求に含まれる場合には、前記移動端末の前記第１の無線通信装置から前記第２の無線通信装置への接続先の切替を許可し、前記第１の無線通信装置以前に前記第２の無線通信装置との接続履歴が前記切替要求に含まれない場合には、前記移動端末の前記第１の無線通信装置から前記第２の無線通信装置への接続先の切替を拒否する、
接続先切替判定方法。
【発明の詳細な説明】
【技術分野】
【０００１】
本発明は、移動体に搭載された無線通信装置と、所定の位置に設置された無線通信装置と、移動端末とを含む無線通信ネットワークシステムに関する。
【背景技術】
【０００２】
近年、無線通信では、音声通話だけでなく、インターネットへのアクセス，ストリーミング放送の配信，及び音楽や映像を含むコンテンツの配信など、さまざまなサービスが展開されている。【０００３】
これらのサービスがどこでも高品質で提供されるために、３ＧＰＰ（3rd Generation Partnership Project）の次世代規格であるＬＴＥ（Long Term Evolution）  Ａｄｖａｎｃｅｄでは、端末と基地局との中継を行うリレー局の導入が検討されている。高品質なサービスは、例えば、広い接続エリアに高いスループットでサービスが提供されるサービスである。
【先行技術文献】
【特許文献】
【０００４】
【特許文献１】特開２００４−３２１５５号公報
【特許文献２】特開２００２−３６９２４１号公報
【発明の概要】
【発明が解決しようとする課題】
【０００５】
リレー局には、設置場所が固定された固定式リレー局と、高速移動時の対応を強化するための、移動体に搭載される移動式リレー局とがある。【０００６】
図３４は、移動式リレー局を含む無線通信ネットワークシステムの例を示す図である。移動端末が接続する基地局又はリレー局の切替処理において、移動式リレー局を用いた場合、以下のような問題が生じる可能性が考えられる。【０００７】
図３４に示される無線通信ネットワークシステムは、基地局Ｐ１と、電車Ｐ５０に設置された移動式リレー局Ｐ２，移動端末Ｐ４とを含む。移動端末Ｐ４は、基地局Ｐ１のセル内に位置し、かつ、電車Ｐ５０が通過する線路沿いに位置する。【０００８】
（１）移動端末Ｐ４は基地局Ｐ１に接続して通信相手と通信中である。移動式リレー局Ｐ２は、移動端末Ｐ４とは十分離れた場所にあるため、移動端末Ｐ４において、移動式リレー局Ｐ２からの信号の受信品質よりも基地局Ｐ１からの信号の受信品質ほうが良い。【０００９】
（２）電車Ｐ５０の移動に伴って、移動端末Ｐ４と移動式リレー局Ｐ２との距離が近くなり、移動端末Ｐ４が移動式リレー局Ｐ２のセル内に入る。移動端末Ｐ４が移動式リレー局Ｐ２のセル内に入ると、移動端末Ｐ４において、移動式リレー局Ｐ２からの信号の受信品質が基地局Ｐ１からの信号の受信品質よりも良くなる。移動式リレー局Ｐ２からの信号の受信品質が基地局Ｐ１からの信号の受信品質よりも良くなったことを契機に、移動端末Ｐ４が基地局Ｐ１から移動式リレー局Ｐ２へと接続先を切り替える処理を開始する。【００１０】
（３）電車Ｐ５０の移動に伴って、移動式リレー局Ｐ２が移動端末Ｐ４から離れていくと、移動端末Ｐ４は、移動式リレー局Ｐ２のセルから外れる。移動端末Ｐ４が移動式リレー局Ｐ２のセルから外れると、移動端末Ｐ４において、移動式リレー局Ｐ２からの信号の受信品質が低下し、基地局Ｐ１からの信号の受信品質の方が良くなる。移動式リレー局Ｐ２からの信号の受信品質より基地局Ｐ１からの信号の受信品質の方が良くなることを契機に、移動端末Ｐ４は、移動式リレー局Ｐ２から再び基地局Ｐ１に接続先を切り替える処理を開始する。【００１１】
移動端末Ｐ４が待ち受け状態の場合のセル選択においても、上記（１）から（３）と同様に、信号の受信品質に基づいて、セルの選択が再度行われる。なお、信号の受信品質は、例えば、各局からのパイロット信号のパワーの大きさから判断されてもよい。【００１２】
しかしながら、上記（１）から（３）のような、移動端末Ｐ４の接続先の切り替えは、基地局Ｐ１と安定して接続している状態にある移動端末Ｐ４にとっては好ましくないものである。【００１３】
移動端末Ｐ４が通信中の場合には、接続先の切り替えのために通信が瞬断する時間が生じる。通信の瞬断によって、例えば、スループットの低下や音声通話の瞬断などのような悪影響が発生する。また、基地局Ｐ１や移動式リレー局Ｐ２などのネットワーク側では、不要な通信が発生し、ネットワーク負荷を高めることになる。【００１４】
移動端末Ｐ４が待ち受け中の場合には、セルの選択の実行中に当該端末の呼び出しを取りこぼして着呼が遅れる可能性が生じる。また、不要なセルの選択の実行のために、電力が消費されてしまい、移動端末Ｐ４のバッテリー持続時間が短くなってしまう。【００１５】
したがって、図３４に示される例のように、移動式リレー局が用いられた無線通信ネットワークでは、移動端末の接続先の切り替えが効率よく行われない場合がある。【００１６】
本発明の一態様は、移動端末の接続先の切り替えが効率よく行われる無線通信ネットワークシステムを提供することを目的とする。
【課題を解決するための手段】
【００１７】
本発明の態様の一つは、無線通信ネットワークシステムである。無線通信ネットワークシステムは、
現在接続される第１の無線通信装置から移動体に搭載される第２の無線通信装置へ接続先を切り替える切替要求を送信する移動端末と、
前記第１の無線通信装置の種別に応じた前記第１の無線通信装置から前記第２の無線通信装置への接続先の切替の可否設定に基づいて、前記移動端末が自装置から前記第２の無線通信装置に接続先を切り替えることの可否を判定する無線通信装置と、
を含む。【００１８】
本発明の他の態様の一つは、無線通信装置である。無線通信装置は、
移動端末が現在接続される第１の無線通信装置の種別に応じた前記第１の無線通信装置から移動体に搭載された第２の無線通信装置への接続先の切替の可否設定を保持する記憶部と、
移動端末から切替要求を受信した場合に、前記移動端末が自装置から前記第２の無線通信装置に接続先を切り替えることの可否を前記可否設定に基づいて判定する判定部を備える。【００１９】
本発明の他の態様の一つは、無線通信装置である。無線通信装置は、
第１の移動体に搭載された第１の無線通信装置であって、
前記第１の無線通信装置に接続する移動端末が前記第１の無線通信装置から第２の移動体に搭載された第２の無線通信装置に接続先を切り替えることを許可せず、前記第１の無線通信装置から移動体に搭載されない第３の無線通信装置に接続先を切り替えることを許可する判定部を含む。【００２０】
本発明の他の態様の一つは、移動端末である。移動端末は、
現在接続される第１の無線通信装置の種別に応じた前記第１の無線通信装置から移動体に搭載された第２の無線通信装置への接続先の変更の可否設定を保持する記憶部と、
前記記憶部に保持される前記可否設定に基づいて、前記第１の無線通信装置から前記第２の無線通信装置への接続先の変更の可否を判定する判定部と
を備える移動端末。【００２１】
本発明の他の態様の一つは、上述した無線通信ネットワークシステム，無線通信装置，および移動端末の接続先切替判定方法および接続先変更判定方法である。
【発明の効果】
【００２２】
開示の無線通信ネットワークシステムによれば、移動端末の接続先を効率よく切り替えることができる。
【図面の簡単な説明】
【００２３】
【図１】無線通信ネットワークシステムの構成例を示す図である。
【図２】無線通信ネットワークシステムにおけるハンドオーバ及びリセレクションの制限を示す表である。
【図３】移動端末が基地局から固定式リレー局へハンドオーバを実行する場合の動作例を示す図である。
【図４】移動端末が基地局から固定式リレー局へリセレクションする場合の動作例を示す図である。
【図５】移動端末の構成例を示す図である。
【図６】移動端末のモビリティ制御部の構成例を示す図である。
【図７】移動式リレー局接続履歴の例を示す表である。
【図８】セル遷移可否設定の例を示す図である。
【図９】移動端末のリセレクション判定処理のフローの例を示す図である。
【図１０】基地局の構成例を示す図である。
【図１１】基地局および固定式リレー局のモビリティ制御部の構成例を示す図である。
【図１２】基地局のハンドオーバ判定処理のフローの例を示す図である
【図１３】固定式リレー局の構成例を示す図である。
【図１４】移動式リレー局の構成例を示す図である。
【図１５】移動式リレー局のモビリティ制御部の構成例を示す図である。
【図１６】移動式リレー局のハンドオーバ判定処理のフローの例を示す図である。
【図１７】図１に示される例において、新たに移動式リレー局が追加された場合の、移動式リレー局の移動式リレー局リストへの登録処理の例を示す図である。
【図１８】動作例１を説明するための図である。
【図１９】動作例１のフローを示す図である。
【図２０】動作例２を説明するための図である。
【図２１Ａ】動作例２のフローを示す図である。
【図２１Ｂ】動作例２のフローを示す図である。
【図２２】動作例３を説明するための図である。
【図２３】動作例３のフローを示す図である。
【図２４】動作例４のフローを示す図である。
【図２５Ａ】動作例５のフローを示す図である。
【図２５Ｂ】動作例５のフローを示す図である。
【図２６】動作例６のフローを示す図である。
【図２７】移動端末のモビリティ制御部の構成例を示す図である。
【図２８】移動端末のハンドオーバ判定処理のフローの例を示す図である。
【図２９】基地局及び固定式リレー局のモビリティ制御部の構成例を示す図である。
【図３０】移動式リレー局のモビリティ制御部の構成例を示す図である。
【図３１】動作例７のフローを示す図である。
【図３２Ａ】動作例８のフローを示す図である。
【図３２Ｂ】動作例８のフローを示す図である。
【図３３】動作例９のフローを示す図である。
【図３４】移動式リレー局を含む無線通信ネットワークシステムの例を示す図である。
【発明を実施するための形態】
【００２４】
以下、図面を参照して、本発明の実施をするための形態（以下、実施形態という）について説明する。以下の実施形態の構成は例示であり、本発明は実施形態の構成に限定されない。
【００２５】
＜第１実施形態＞
図１は、無線通信ネットワークシステムの構成例を示す図である。図１に示される無線通信ネットワークシステム１００は、基地局１，移動体としての電車５０に設置された移動式リレー局２，電車５０が停車する駅に設置された固定式リ
レー局３，移動端末４Ａ，４Ｂ，４Ｃを含む。
【００２６】
基地局１は、自身のセル内に位置する移動端末と当該移動端末の通信相手の端末との通信を中継する。また、基地局１は、移動式リレー局２のセル内に位置する移動端末と当該移動端末の通信相手の端末との通信を移動式リレー局２を介して中継する。また、基地局１は、固定式リレー局３に位置する移動端末と当該移動端末の通信相手の端末との通信を固定式リレー局３を介して中継する。
【００２７】
固定式リレー局３は、電車５０が停車する駅に設置されたリレー局である。固定式リレー局３は、例えば、地下や基地局１から離れた場所などの、基地局１からの信号が通信可能なレベルでは届かない場所をカバーし、固定式リレー局３のセル内の移動端末と基地局１との通信を中継する。固定式リレー局３は、電車５０が停車する駅など、移動体の乗降施設に設置されることが好ましい。
【００２８】
移動式リレー局２は、電車５０に搭載されたリレー局である。移動式リレー局２のセル範囲は、例えば、電車５０をカバーする程度の範囲である。移動式リレー局２が基地局１のセル内に入る場合には、移動式リレー局２は、移動式リレー局２に接続する移動端末の基地局１に対する通信を中継する。
【００２９】
移動端末４Ａは、電車５０が通過する線路沿いに位置する移動端末である。図１において、移動端末４Ａは、基地局１のセル内に位置し、移動式リレー局２及び固定式リレー局３のセル内には入っていない。
【００３０】
移動端末４Ｂは、電車５０に搭乗している乗客が有する移動端末である。すなわち、移動端末４Ｂは、電車５０の内部に位置する。図１において、移動端末４Ｂは、基地局１のセル内に位置し、且つ、移動式リレー局２のセル内にも位置する。移動端末４Ｂは、基地局１及び移動式リレー局２の双方から無線信号を受信する。移動端末４Ｂが受信する信号の受信品質は、基地局１からの信号よりも移動式リレー局２からの信号の方が良いため、移動端末４Ｂは、通信時には、移動式リレー局２に接続して通信を行う。
【００３１】
移動端末４Ｃは、電車５０が停車する駅の内部に位置する移動端末である。移動端末４Ｃは、基地局１のセル内に位置し、且つ、固定式リレー局３のセル内にも位置する。移動端末４Ｃは、基地局１と固定式リレー局３との双方から無線信号を受信する。移動端末４Ｃが固定式リレー局３から受信する無線信号の受信品質は、基地局１からの無線信号よりも良いため、移動端末４Ｃは、固定式リレー局３に接続して通信を行う。
【００３２】
移動端末４Ａ，４Ｂ，４Ｃは、通信中及び待ち受け状態のときに、基地局１，移動式リレー局２，及び固定式リレー局３のうちの少なくとも１つから信号を受信しており、定期的に各局からの信号の受信品質を測定する。信号の受信品質の測定結果から、移動端末４Ａ，４Ｂ，４Ｃは、受信品質が最も良い信号の送信元の局を通信に使用する局として選択する。したがって、図１において、通信の際には、移動端末４Ａは基地局１を選択して接続する。移動端末４Ｂは、移動式リレー局２を選択して接続する。移動端末４Ｃは、固定式リレー局３を選択して接続する。移動端末自身の移動などによる電波状況の変化に応じて、受信品質の最も良い信号の送信元の局が変更した場合には、移動端末４Ａ，４Ｂ，４Ｃは、通信に使用する局（又はセル）を選択し直す。
【００３３】
移動端末が通信中に接続先の局を切り替えることはハンドオーバと称される。移動端末が待ち受け状態のときに、接続先の局（又はセル）を選択し直すことは、以降、リセレクションと称される。移動端末の接続先として選択されている局は、以降、選択局と称される。ハンドオーバ先、又は、リセレクション先として選択される局は、以降、遷移先候補局と称される。以降、基地局，移動式リレー局，固定式リレー局は総称されて「局」と称される。基地局，移動式リレー局，固定式リレー局は、態様の１つにおける「無線通信装置」に相当する。基地局，固定式リレー局は、態様の１つにおける「固定装置」に相当する。移動式リレー局は、態様の１つにおける「移動装置」に相当する。
【００３４】
なお、説明の簡略化のために、図１において、移動端末４Ａ，４Ｂ，４Ｃは、移動しないものとする。
【００３５】
図１に示される無線通信ネットワークシステム１００において、携帯電話４Ａ，４Ｂ，４Ｃのハンドオーバ及びリセレクションに対して、例えば、以下のような制限を設けることができる。
【００３６】
（制限１）基地局１を選択局とする移動端末４Ａは、基地局１から移動式リレー局２へのハンドオーバ及びリセレクションを禁止される。移動端末４Ａは、リレー局を中継せずとも基地局１と通信可能であり、好ましくない基地局１から移動式リレー局２へのハンドオーバ及びリセレクションによって、瞬断やネットワーク負荷の増加などを招くからである。
【００３７】
（制限２）移動式リレー局２を選択局とする移動端末４Ｂは、基地局１からの信号の受信品質が最も良くなる場合には、移動式リレー局２から基地局１へのハンドオーバ及びリセレクションが可能である。移動端末４Ｂは、移動式リレー局２を中継せずに直接基地局１と通信を行う方が、スループットなどの点においてより安定した通信を行うことができるため、基地局１の受信品質の方が良い場合には、基地局１に選択局を切り替える。また、移動端末４Ｂは、電車５０が基地局１から離れていくことよって、移動式リレー局２からの信号の受信品質が最も良くなると、基地局１から再び移動式リレー局２にハンドオーバ及びリセレクションすることが可能である。同様に、移動端末４Ｂは、移動式リレー局２から固定式リレー局３へ、ハンドオーバ及びリセレクションが可能であり、さらに固定式リレー局３から移動式リレー局２へ再度ハンドオーバ又はリセレクションが可能である。
【００３８】
（制限３）固定式リレー局３を選択局とする移動端末４Ｃは、電車５０の接近によって、固定式リレー局３から移動式リレー局２にハンドオーバ及びリセレクションが可能である。固定式リレー局３は駅に設置された局である。また、固定式リレー局３を選択局とする移動端末４Ｃの所有者が電車５０に乗る可能性がある。したがって、移動端末４Ｃの所有者が電車５０に乗った場合にも通信を継続させるため、移動式リレー局２の方が受信品質が良い場合には、移動端末４Ｃは、固定式リレー局３から移動式リレー局２にハンドオーバ及びリセレクションが可能である。これによって、移動端末４Ｃの所有者が電車５０に乗らない場合でも、移動端末４Ｃは、電車５０の接近によって移動式リレー局２にハンドオーバ及びリセレクションしてしまう場合もある。移動端末４Ｃは、電車５０が駅から離れてしまっても通信を継続させるため、固定式リレー局３の受信品質の方が良くなる場合には、移動式リレー局２から再び固定式リレー局３にハンドオーバ及びリセレクションすることが可能である。
【００３９】
（制限４）移動式リレー局２を選択局とする移動端末４Ｂは、他の移動式リレー局にハンドオーバ及びリセレクションすることを禁止される。例えば、図１において、電車５０とすれ違う電車（図示せず）に搭載された他の移動式リレー局にハンドオーバしたとしても、該移動式リレー局に接続する時間が短いからである。
【００４０】
図１において、駅に固定式リレー局３の代わりに基地局が設置されていた場合でも、該基地局には制限３が適用される。すなわち、図１における固定式リレー局３は基地局であっても、無線通信ネットワークシステム１００には、（制限１）から（制限４）の制限が与えられる。したがって、局の種別は、以下に示されるとおりになる。
（種別１）駅やバス停など移動体の乗降施設付近に設置されている基地局又は固定式リレー局
（種別２）種別１以外の基地局又は固定式リレー局
（種別３）移動式リレー局
移動体には、例えば、電車，バス，自動車などがある。なお、基地局又は固定式リレー局が特に種別１及び種別２で区別されない場合には、単に、基地局又は固定式リレー局と称される。
【００４１】
図２は、（制限１）から（制限４）をまとめた表である。すなわち、図２は、無線通信ネットワークシステム１００におけるハンドオーバ及びリセレクションの制限を示す表である。図２では、移動端末の選択局の変更が（ａ）から（ｅ）に場合分けされて示されており、それぞれの場合ごとに説明がなされる。
【００４２】
（ａ）基地局又は固定式リレー局から基地局又は固定式リレー局への選択局の変更
基地局又は固定式リレー局から固定式リレー局又は基地局へのハンドオーバ及びリセレクションは、移動端末の移動によって発生するものであるため、当然、許可される。
【００４３】
（ｂ）種別１の基地局又は固定式リレー局から移動式リレー局への選択局の変更
移動体の乗降施設付近に設置されている基地局又は固定式リレー局（種別１）から移動式リレー局へのハンドオーバ及びリセレクションは、（制限３）より、許可される。
【００４４】
（ｃ）種別２の基地局又は固定式リレー局から移動式リレー局への選択局の変更
種別２の基地局又は固定式リレー局から移動式リレー局へのハンドオーバ及びリセレクションは、（制限１）及び（制限２）より、現在の選択局への接続以前に遷移先候補局の移動式リレー局への接続履歴がある場合には許可される。
【００４５】
（ｄ）移動式リレー局から基地局及び固定式リレー局への選択局の変更
移動式リレー局から基地局及び固定式リレー局へのハンドオーバ及びリセレクションは、（制限２）より、許可される。
【００４６】
（ｅ）移動式リレー局から移動式リレー局への選択局の変更
移動式リレー局から移動式リレー局へのハンドオーバ及びリセレクションは、（制限４）より、許可されない。
【００４７】
図２に示される例より、無線通信ネットワークシステムでは、遷移先候補局が基地局又は固定式リレー局である場合には、ハンドオーバ及びリセレクションは無条件で許可される。一方、遷移先候補局が移動式リレー局である場合には、現在の選択局の種別や接続履歴によって、ハンドオーバ及びリセレクションの可否が決まる。
【００４８】
ハンドオーバは移動端末が基地局，固定式リレー局，又は、移動式リレー局を経由した通信中に接続先を切り替える処理であるため、ハンドオーバの可否の判定は、局側又は移動端末側でいずれかで実施されることが可能である。一方、リセレクションは移動端末が待ち受け状態のときに行われる処理であるため、移動端末に閉じた処理となる。
【００４９】
第１実施形態では、ハンドオーバの可否の判定が局側によって実施される場合について説明される。
【００５０】
以降、移動端末４Ａ，４Ｂ，及び４Ｃは、特に区別されることがない場合には、単に「移動端末４」と称される。
【００５１】
＜基地局から固定式リレー局へのハンドオーバ時の動作例＞
図３は、移動端末が基地局から固定式リレー局へハンドオーバを実行する場合の動作例を示す図である。図３に示される例では、図１において、移動端末４Ａが基地局１から固定式リレー局３へハンドオーバをする場合の例である。
【００５２】
移動端末４Ａは、基地局１を選択局として通信をしている。また、固定式リレー局３は、基地局１と移動端末４Ａとの通信を中継する。
【００５３】
移動端末４Ａは、定期的に周辺の局の検出処理と、周辺の局からの信号の受信品質の測定処理を実行する（ＯＰ１）。移動端末４Ａは、現在の選択局である基地局１からの信号の受信品質が最も良いか否かを判定する（ＯＰ２）。
【００５４】
基地局１からの信号の受信品質が最も良い場合には（ＯＰ２：Ｙｅｓ）、処理がＯＰ１に戻る。
【００５５】
基地局１からの信号よりも受信品質が良い局がある場合には（ＯＰ２：Ｎｏ）、移動端末４Ａは、受信品質が最も良い局にハンドオーバすることを決定する。図３に示される例において、移動端末４Ａは、固定式リレー局３からの信号の受信品質が最も良いため、基地局１から固定式リレー局３へハンドオーバすることを決定する。
【００５６】
移動端末４Ａは、固定式リレー局３へのハンドオーバを要求するためのＭｅａｓｕｒｅｍｅｎｔ  Ｒｅｐｏｒｔを、現在接続している基地局１に送信する（ＯＰ３）。移動端末４Ａから送信されるＭｅａｓｕｒｅｍｅｎｔ  Ｒｅｐｏｒｔには、移動端末４Ａが検出した局の識別番号，遷移先候補局の識別番号等が含まれる。
【００５７】
基地局１は、Ｍｅａｓｕｒｅｍｅｎｔ  Ｒｅｐｏｒｔを受信すると、Ｍｅａｓｕｒｅｍｅｎｔ  Ｒｅｐｏｒｔに含まれる遷移先候補局である固定式リレー局３にハンドオーバを要求するＨａｎｄｏｖｅｒ  Ｒｅｑｕｅｓｔを送信する（ＯＰ４）。Ｈａｎｄｏｖｅｒ  Ｒｅｑｕｅｓｔは、ハンドオーバが可能か否かを遷移先候補局に問い合わせるためのメッセージである。Ｈａｎｄｏｖｅｒ  Ｒｅｑｕｅｓｔを受信した遷移先候補局である固定式リレー局３は、ハンドオーバを許可し、Ｈａｎｄｏｖｅｒ  Ｒｅｑｕｅｓｔ  ＡＣＫを基地局１に送信する（ＯＰ５）。
【００５８】
固定式リレー局３から、応答があると、基地局１は、移動端末４Ａに対してＨａｎｄｏｖｅｒ  Ｃｏｍｍａｎｄを送信してハンドオーバの実行を指示する（ＯＰ６）。Ｈａｎｄｏｖｅｒ  Ｃｏｍｍａｎｄを受信すると、移動端末４Ａは基地局１から固定式リレー局３へハンドオーバを実行する（ＯＰ７）。ハンドオーバが完了すると、移動端末４Ａは、Ｈａｎｄｏｖｅｒ  Ｃｏｍｐｌｅｔｅを発行して、固定式リレー局３にハンドオーバの完了を報告する（ＯＰ８）。
【００５９】
固定式リレー局３がＨａｎｄｏｖｅｒ  Ｃｏｍｐｌｅｔｅを受信すると、移動端末４Ａと固定式リレー局３との間のセッションが確立される。
【００６０】
＜基地局から固定式リレー局へのリセレクションの動作例＞
図４は、移動端末が基地局から固定式リレー局へリセレクションを実行する場合の動作例を示す図である。図４に示される例では、図１において、移動端末４Ａが基地局１から固定式リレー局３へリセレクションをする場合の例である。
【００６１】
移動端末４Ａは、定期的に周辺の局の検出処理と、周辺の局からの信号の受信品質の測定処理を実行する（ＯＰ１１）。移動端末４Ａは、現在の選択局である基地局１からの信号の受信品質が最も良いか否かを判定する（ＯＰ１２）。
【００６２】
基地局１からの信号の受信品質が最も良い場合には（ＯＰ１２：Ｙｅｓ）、処理がＯＰ１１に戻る。
【００６３】
基地局１からの信号よりも受信品質が良い局がある場合には（ＯＰ１２：Ｎｏ）、移動端末４Ａは、選択局を受信品質が最も良い局に変更することを決定する。図４に示される例において、移動端末４Ａは、固定式リレー局３からの信号の受信品質が最も良いため、基地局１から固定式リレー局３へリセレクションすることを決定する。
【００６４】
移動端末４Ａは、遷移先候補局である固定式リレー局３から、報知情報を取得し（ＯＰ１３）、現在の選択局である基地局１から固定式リレー局３へのリセレクションを実行する（ＯＰ１４）。
【００６５】
＜装置構成＞
＜＜移動端末の構成例＞＞
図５は、移動端末４の構成例を示す図である。移動端末４は、受信アンテナ４１，無線部４２，レイヤ１処理部４３，レイヤ２処理部４４，無線リソース制御部４５，アプリケーションレイヤ処理部４６，及び送信アンテナ４７を含む。これら各ユニットは、ソフトウェアの構成要素又はハードウェアの構成要素、若しくはこれらの組み合わせとしてそれぞれ実現される（［その他］の項参照）。
【００６６】
移動端末４は、受信アンテナ４１を介して、基地局１，移動式リレー局２，又は固定式リレー局３から送信された信号を受信する。受信アンテナ４１で受信した受信信号は、無線部４２で無線周波数信号からベースバンド信号へダウンコンバートされレイヤ１処理部４３に出力される。
【００６７】
レイヤ１処理部４３は、入力されたベースバンド信号に対して、ＬＴＥのレイヤ１に相当する物理層において行われる処理を実行する。レイヤ１処理部４３は、復調部４３１，復号部４３２，符号化部４３３，及び変調部４３４を含む。
【００６８】
復調部４３１は、無線部４２からベースバンド信号を受信し、受信されたベースバンド信号に対して復調処理を行う。復調部４３１は、例えば、ＯＦＤＭＡ（Orthogonal Frequency Division Multiplexing Access：直交周波数分割多元接続）方式の復調処理を行う。復調部４３１は、測定部４３１ａ，ＦＦＴ（Fast Fourier Transformation：高速フーリエ変換）部４３１ｂ，及び復調実行部４３１ｃを含む。
【００６９】
測定部４３１ａは、受信されたベースバンド信号に基づいてセルサーチやレベル測定を行う。ＦＦＴ部４３１ｂは、ＯＦＤＭＡシンボルに対して高速フーリエ変換を実行し、時間軸信号から周波数軸信号への変換を行う。復調実行部４３１ｃは、入力された信号（例えば、ＱＰＳＫ（Quadrature Phase Shift Keying：四位相偏移変調），１６ＱＡＭ（16 Quadrature Amplitude Modulation）,６４ＱＡＭなどの多値変調されたシンボル）を復調し、データを得る。復調実行部４３１ｃは、得られたデータを復号部４３２に出力する。
【００７０】
復号部４３２は、入力されたデータに対して復号処理を行う。復号部４３２は、デレートマッチング部４３２ａ，ＨＡＲＱ（Hybrid Automatic Repeat reQuest）合成部４３２ｂ，ターボ復号部４３２ｃ，ＣＲＣ（Cyclic Redundancy Check）チェック部４３２ｄを含む。
【００７１】
デレートマッチング部４３２ａは、割り当てられた物理チャネルリソースに合わせて伸縮又は縮小されたデータを元に戻し、ＨＡＲＱ合成部４３２ｂに出力する。ＨＡＲＱ合成部４３２ｂは、ＨＡＲＱ再送処理によって、再送されたデータの合成を行い、誤り回復を行う。ＨＡＲＱ合成部４３２ｂは、誤り回復によって得られたデータをターボ復号部４３２ｃに出力する。ターボ復号部４３２ｃは、入力されたターボ符号化されているデータを復号し、ＣＲＣチェック部４３２ｄに出力する。ＣＲＣチェック部４３２ｄは、ターボ復号部４３２ｃから入力されたデータの正否をチェックし、レイヤ２処理部４４に出力する。
【００７２】
符号化部４３３は、送信データに対して符号化処理を行う。符号化部４３３は、ＣＲＣ付与部４３３ａ，ターボ符号化部４３３ｂ，及びレートマッチング部４３３ｃを含む。
【００７３】
ＣＲＣ付与部４３３ａは、送信データに対してＣＲＣを算出して付与する。ＣＲＣ付与部４３３ａは、ＣＲＣが付与された送信データをターボ符号化部４３３ｂに出力する。
【００７４】
ターボ符号化部４３３ｂは、ＣＲＣ付与部４３３ａから入力された送信データに対して、ターボ符号化を行い、レートマッチング部４３３ｃに出力する。
【００７５】
レートマッチング部４３３ｃは、ターボ符号化部４３３ｂから入力された送信データに対して、割り当てられた物理チャネルリソースに合わせて送信データの伸縮又は縮小を行う。レートマッチング部４３３ｃは、伸縮又は縮小された送信データを変調部４３４に出力する。
【００７６】
変調部４３４は、符号化部４３３から入力された送信データに対して変調処理を行う。変調部４３４は、送信データに対して、例えば、ＳＣ−ＦＤＭＡ（Single Carrier Frequency Division Multiple Access：シングルキャリア周波数分割多元接続）を行う。変調部４３４は、変調実行部４３４ａ，ＤＦＴ（Discrete Fourier Transform：離散フーリエ変換）部４３４ｂ，サブキャリアマッピング部４３４ｃ，及びＩＦＦＴ（Inverse FFT：逆高速フーリエ変換）部４３４ｄを含む。
【００７７】
変調実行部４３４ａは、符号化部４３３から入力された送信データに対して多値変調を行う。変調実行部４３４ａは、多値変調されたシンボルをＤＦＴ部４３４ｂに出力する。
【００７８】
ＤＦＴ部４３４ｂは、サブキャリア変調実行部４３４ａから入力されたシンボルに対して離散フーリエ変換を行う。ＤＦＴ部４３４ｂは、離散フーリエ変換が施されたシンボルをサブキャリアマッピング部４３４ｃに出力する。
【００７９】
サブキャリアマッピング部４３４ｃは、ＤＦＴ部４３４ｂから入力されたシンボルをネットワークから指定された物理チャネルリソースへ割り当てる。サブキャリアマッピング部４３４ｃは、物理チャネルリソースへ割り当てられたシンボルをＩＦＦＴ部４３４ｄに出力する。
【００８０】
ＩＦＦＴ部４３４ｄは、サブキャリアマッピング部４３４ｃから入力された、物理チャネルごとに割り当てられたシンボルに対して逆高速フーリエ変換を行う。ＩＦＦＴ部４３４は、逆高速フーリエ変換が施されたシンボルを無線部４２に出力する。
【００８１】
レイヤ１処理部４３から出力されたベースバンド信号は無線部４２で無線周波数信号へと変換され、アンテナ４７を介して送信される。
【００８２】
レイヤ２処理部４４は、ＬＴＥのレイヤ２に含まれるＭＡＣ（Media Access Control）層，ＲＬＣ（Radio Link Control）層，及びＰＤＣＰ（Packet Data Convergence Protocol）層の各フォーマットに合わせてデータの分離結合を行う。また、レイヤ２処理部４４は、データの再送制御，順序整列などもおこなう。
【００８３】
無線リソース制御部４５は、レイヤ２処理部４４から入力されるデータに基づいて、無線リソースの制御や装置全体の制御を司る。無線リソース制御部４５は、接続制御部４５１，測定制御部４５２，及びモビリティ制御部４５３を含む。
【００８４】
接続制御部４５１は、発呼および着呼処理，呼の確立及び開放など行う。測定制御部４５２は、測定対象セルの管理および報告や、ハンドオーバの測定閾値の制御等を行う。モビリティ制御部４５３は、ハンドオーバなどの制御を行う。モビリティ制御部４５３の詳細については後述される。
【００８５】
アプリケーションレイヤ処理部４６は、ユーザごとのデータの処理などの上位レイヤの処理を行う。
【００８６】
図６は、移動端末４のモビリティ制御部４５３の構成例を示す図である。移動端末４のモビリティ制御部４５３は、測定値取得部６１，第１リセレクション判定部６２，第２リセレクション判定部６３，リセレクション実行部６４，ハンドオーバ実行部６５，記憶部６６を含む。
【００８７】
記憶部６６は、移動端末４の移動式リレー局接続履歴，移動端末４が検知した周辺の局の識別番号，及び基地局から配信された報知情報に含まれる移動式リレー局リストの情報と移動端末４の周辺の各局のセル遷移可否設定とを保持する。移動式リレー局リストは、例えば、無線通信ネットワーク１００内の移動式リレー局の識別番号のリストであって、各局から配信される報知情報に含まれる情報の１つである。
【００８８】
図７は、移動式リレー局接続履歴の例を示す表である。移動式リレー局接続履歴には、選択局として選択された直近の移動式リレー局の識別番号が格納される。移動式リレー局接続履歴の初期状態は、移動式リレー局への接続履歴がない状態であって、設定値は無効（Invalid）である。移動式リレー局接続履歴に登録された移動式リレー局の識別番号は、移動端末の周辺監視によって当該移動式リレー局が検出されなくなったら削除される。移動式リレー局の識別番号が削除されると、設定値は無効（invalid）の状態となる。
【００８９】
図７では、図１に示される例において、移動端末４が、固定式リレー局３，移動式リレー局２，基地局１，移動式リレー局２，及び固定式リレー局３ｂ（図１には示されず）の順でハンドオーバ又はリセレクションする場合の、移動式リレー局接続履歴に設定される情報の変化が示される。
【００９０】
（１）例えば、移動端末４は、いずれの移動式リレー局への接続履歴も持たず、固定式リレー局３を選択局として選択している場合を想定する。この場合、移動端末３の移動式リレー局接続履歴には、無効（Invalid）が設定される。
【００９１】
（２）駅に電車５０が接近し、移動端末４を所有するユーザが電車５０へ乗車して、移動端末４が移動式リレー局２へハンドオーバ又はリセレクションすると、移動式リレー局接続履歴には移動式リレー局２の識別番号が設定される。
【００９２】
（３）さらに、電車５０の移動により移動端末４が基地局１へハンドオーバ又はリセレクションした場合には、遷移先が移動式リレー局ではないため、この移動式リレー局２についての移動式リレー局接続履歴は保持される。
【００９３】
（４）その後再び移動端末４が移動式リレー局２へ接続すると、移動式リレー局２の識別番号で移動式リレー局接続履歴は更新される（この場合は上書き更新）。
【００９４】
（５）その後、移動端末４を所有するユーザが電車を下車し、移動端末４が固定式リレー局３ｂにハンドオーバ又はリセレクションする。移動端末４が移動式リレー局２を搭載する電車５０から十分に離れると、移動式リレー局２は検出されなくなるため、移動式リレー局接続履歴から移動式リレー局２の識別番号が削除される。移動式リレー局接続履歴には、無効（Invalid）が設定される。
【００９５】
以上のようにして、移動式リレー局接続履歴には、直近に接続した移動式リレー局の情報が保持される。
【００９６】
図８は、セル遷移可否設定の例を示す図である。セル遷移可否設定は、例えば、無線通信ネットワークの管理者などによって、予め各局に設定された、各局から移動式リレー局へのハンドオーバ及びリセレクションの許可又は不許可の設定である。各局のセル遷移可否設定は、各局から配信される報知情報に含まれる情報の１つとすることができる。図８では、局の種別ごとに、セル遷移可否設定が示される。
【００９７】
移動体の乗降施設周辺に設置される基地局および固定式リレー局（種別１）は、図２に示される表より、移動式リレー局へのハンドオーバ及びリセレクションが許可される。したがって、図１における固定式リレー局３のセル遷移可否設定は「許可」である。
【００９８】
種別１以外の基地局および固定式リレー局（種別２）は、（制限１）より、移動式リレー局へのハンドオーバ及びリセレクションが許可されない。したがって、図１における基地局１のセル遷移可否設定は「不許可」である。
【００９９】
移動式リレー局は、図２に示される表より、移動式リレー局へのハンドオーバ及びリセレクションは許可されない。したがって、図１における移動式リレー局２のセル遷移可否設定は「不許可」である。
【０１００】
測定値取得部６１は、レイヤ１処理部４３の測定部４３１ａによる移動端末４の周辺の局の測定結果を入力として得る。測定値取得部６１は、各局の信号の受信品質の測定結果から、測定結果が所定の閾値を超えている場合に、測定結果が最も良い局を遷移先候補局として決定する。所定の閾値は、例えば、無線リソース制御部４５の測定制御部４５２によって管理されるハンドオーバの測定閾値である。測定値取得部６１は、遷移先候補局をハンドオーバ実行部６５と第１リセレクション判定部６２とに通知する。
【０１０１】
ハンドオーバ実行部６５は、移動端末４の通信開始とともに起動する。ハンドオーバ実行部６５は、移動端末４の通信時に、測定値取得部６１から遷移先候補局が通知されると、遷移先候補局と現在の選択局とが同一か否かを判定する。遷移先候補局と現在の選択局とが異なる場合には、すなわち、信号の受信品質が最も良い局が変わった場合には、ハンドオーバ実行部６５は、遷移先候補局にハンドオーバすることを決定する。ハンドオーバ実行部６５は、遷移先候補局へのハンドオーバの実行を要求するため、Ｍｅａｓｕｒｅｍｅｎｔ  Ｒｅｐｏｒｔを生成し、現在の選択局に送信する。Ｍｅａｓｕｒｅｍｅｎｔ  Ｒｅｐｏｒｔには、記憶部６６に保持される情報に基づいて、移動端末４が信号を検知している周辺の局の識別番号，遷移先候補局の識別番号，移動式リレー局接続履歴等が含まれる。
【０１０２】
ハンドオーバが完了すると、ハンドオーバ実行部６５は、新たに選択局となった遷移先の局が移動式リレー局の場合に、当該移動式リレー局の識別番号で記憶部６６内の移動式リレー局接続履歴を更新する。
【０１０３】
第１リセレクション判定部６２は、移動端末４が待ち受け中に、測定値取得部６１から遷移先候補局が通知されると、遷移先候補局と現在の選択局とが同一か否かを判定する。遷移先候補局と現在の選択局とが異なる場合には、第１リセレクション判定部６２は、第２リセレクション判定部６３と協働して、リセレクション処理を開始する。
【０１０４】
第１リセレクション判定部６２は、現在の選択局と遷移先候補局とが移動式リレー局であるか否かの判定と、現在の選択局から遷移先候補局へのリセレクションの可否とを判定する。判定の結果、現在の選択局から遷移先候補局へのリセレクションが可能である場合には、第１リセレクション判定部６２は、リセレクション実行部６４に、リセレクション実行を指示する。
【０１０５】
第２リセレクション判定部６３は、第１リセレクション判定部６２によってリセレクションの可否が決定されなかった場合に、移動式リレー局接続履歴に基づいて、現在の選択局から遷移先候補局へのリセレクションの可否を判定する。判定の結果、現在の選択局から遷移先候補局へ遷移可能な場合には、第２リセレクション判定部６３は、リセレクション実行部６４にリセレクションの実行を指示する。
【０１０６】
リセレクション実行部６４は、第１リセレクション判定部６２又は第２リセレクション判定部６３からのリセレクション実行の指示を受けて、現在の選択局から遷移先候補局へのリセレクションを実行する。リセレクション実行部６４は、リセレクション完了時に、新たに選択局となった局が移動式リレー局の場合に、当該移動式リレー局の識別番号で記憶部６６の移動式リレー局接続履歴を更新する。
【０１０７】
第１リセレクション判定部６２，第２リセレクション判定部６３は、態様の１つにおける「判定部」に相当する。
【０１０８】
図９は、移動端末４のリセレクション判定処理のフローの例を示す図である。移動端末４は、待ち受け状態中に、信号の受信品質が最も良い局が変わることを契機に、受信品質が最も良い局を遷移先候補局としてリセレクション判定処理を開始する。すなわち、第１リセレクション判定部６２は、測定値取得部６１から入力された遷移先候補局と現在の選択局とが異なる場合に、リセレクション判定処理を開始する。
【０１０９】
第１リセレクション判定部６２は、遷移先候補局が移動式リレー局であるか否かを判定する（ＯＰ２１）。第１リセレクション判定部６２は、記憶部６６に保持される移動式リレー局リストと遷移先候補局の識別番号とを比較して、遷移先候補局が移動式リレー局であるか否かを判定する。
【０１１０】
遷移先候補局が移動式リレー局でない場合には（ＯＰ２１：Ｎｏ）、現在の選択局の種別にかかわらず、リセレクションは許可される（図２参照）。第１リセレクション判定部６２は、リセレクション実行部６４に、現在の選択局から遷移先候補局へのリセレクションの実行を指示する。指示を受けたリセレクション実行部６４は、現在の選択局から遷移先候補局へのリセレクションを実行して（ＯＰ２６ｂ）、リセレクション判定処理を終了する。
【０１１１】
遷移先候補局が移動式リレー局である場合には（ＯＰ２１：Ｙｅｓ）、現在の選択局の種別によって遷移先候補局である移動式リレー局へのリセレクションは制限される（図２参照）。現在の選択局が移動体の乗降施設の周辺に設置された基地局および固定式リレー局である（種別１）場合には、現在の選択局から移動式リレー局（遷移先候補局）へのリセレクションが許可される。現在の選択局が種別１以外の基地局および固定式リレー局である（種別２）場合には、移動式リレー局接続履歴に応じて、現在の選択局から移動式リレー局（遷移先候補局）へのリセレクションの可否が決定される。現在の選択局が移動式リレー局である場合には、移動式リレー局（現在の選択局）から移動式リレー局（遷移先候補局）へのリセレクションは許可されない。
【０１１２】
したがって、遷移先候補局が移動式リレー局である場合には（ＯＰ２１：Ｙｅｓ）、第１リセレクション判定部６２は、現在の選択局から遷移先候補局（移動式リレー局）に遷移可能か否かを判定する（ＯＰ２２）。すなわち、第１リセレクション判定部６２は、記憶部６６に保持される現在の選択局のセル遷移可否設定が「許可」であるか否かを判定する。
【０１１３】
現在の選択局のセル遷移可否設定が「許可」である場合には（ＯＰ２２：Ｙｅｓ）、現在の選択局が移動体の乗降施設の周辺に設置された基地局および固定式リレー局（種別１）であることが示される。この場合、第１リセレクション判定部６２は、リセレクション実行部６４に、現在の選択局から移動式リレー局（遷移先候補局）へのリセレクションの実行を指示する。指示を受けたリセレクション実行部６４は、現在の選択局から移動式リレー局（遷移先候補局）へのリセレクションを実行する（ＯＰ２６ａ）。リセレクションが完了すると、リセレクション実行部６４は、記憶部６６内の移動式リレー局接続履歴を遷移先の移動式リレー局の識別番号で更新する（ＯＰ２７）。移動式リレー局接続履歴の更新が完了すると、リセレクション判定処理が終了する。
【０１１４】
現在の選択局のセル遷移可否設定が「不許可」である場合には（ＯＰ２２：Ｎｏ）、現在の選択局が種別１以外の基地局および固定式リレー局（種別２）、又は移動式リレー局のいずれかであることが示される。この場合、移動式リレー局接続履歴に保持されている移動式リレー局が遷移先候補局と一致するか否かによって、リセレクションの可否が決定される（図２参照）。したがって、処理が第１リセレクション判定部６２から第２リセレクション判定部６３に移り、第２リセレクション判定部６３は、記憶部６６内の移動式リレー局接続履歴を参照する。第２リセレクション判定部６３は、移動式リレー局接続履歴に保持される移動式リレー局と遷移先候補局が一致するかを判定する（ＯＰ２５）。
【０１１５】
移動式リレー局接続履歴の移動式リレー局と遷移先候補局が一致しない場合には（ＯＰ２５：Ｎｏ）、第２リセレクション判定部６３は、リセレクションの不許可を判定し、リセレクション判定処理を停止する（ＯＰ２４）。これによってリセレクション判定処理が終了する。
【０１１６】
移動式リレー局接続履歴の移動式リレー局と遷移先候補局が一致する場合には（ＯＰ２５：Ｙｅｓ）、第２リセレクション判定部６３は、リセレクションの許可を判定し、リセレクション実行部６４にリセレクションの実行を指示する。指示を受けたリセレクション実行部６４は、現在の選択局から移動式リレー局（遷移先候補局）へのリセレクションを実行する（ＯＰ２６ａ）。リセレクションが完了すると、リセレクション実行部６４は、記憶部６６内の移動式リレー局接続履歴を遷移先の移動式リレー局の識別番号で更新する（ＯＰ２７）。移動式リレー局接続履歴の更新が完了すると、リセレクション判定処理が終了する。
【０１１７】
ＯＰ２５の処理によって、例えば、図１における移動端末４Ｂが移動式リレー局２から基地局１にリセレクションし、さらに基地局１から移動式リレー局２にリセレクションすることが可能になる。なお、図９に示されるフローにおいて、移動式リレー局間の選択局の変更は許可されていないため、移動式リレー局間の選択局の変更による遷移後の移動式リレー局の情報は移動式リレー局接続履歴に設定されることはない。このため、現在の選択局が移動式リレー局で遷移先候補局が別の移動式リレー局である場合にも、ＯＰ２２において、選択局からの遷移ができないと判定され、ＯＰ２５で移動式リレー局接続履歴と遷移先候補局とが一致しないと判定され、ＯＰ２４において、リセレクションが停止される。したがって、図９に示されるフローにおいて、移動式リレー局から別の移動式リレー局へのリセレクションは実行されない。
【０１１８】
＜＜基地局の構成例＞＞
図１０は、基地局１の構成例を示す図である。基地局１は、受信アンテナ１１，無線部１２，レイヤ１処理部１３，レイヤ２処理部１４，無線リソース制御部１５，及び送信アンテナ１６を含む。レイヤ１処理部１３は、復調部１３１，復号部１３２，符号化部１３３，及び変調部１３４を含む。復調部１３１は、ＦＦＴ部１３１ａ，サブキャリアデマッピング部１３１ｂ，ＩＤＦＴ（Inverse DFT：逆離散フーリエ変換）部１３１ｃ，及び復調実行部１３１ｄを含む。復号部１３２は、デレートマッチング部１３２ａ，ＨＡＲＱ合成部１３２ｂ，ターボ復号部１３２ｃ，及びＣＲＣチェック部１３２ｄを含む。符号化部１３３は、ＣＲＣ付与部１３３ａ，ターボ符号化部１３３ｂ，及びレートマッチング部１３３ｃを含む。変調部１３４は、変調実行部１３４ａ，サブキャリアマッピング部１３４ｂ，及びＩＦＦＴ部１３４ｃを含む。無線リソース制御部１５は、接続制御部１５１，測定制御部１５２，及びモビリティ制御部１５３を含む。これら各ユニットは、ソフトウェアの構成要素又はハードウェアの構成要素、若しくはこれらの組み合わせとしてそれぞれ実現される（［その他］の項参照）。
【０１１９】
基地局１の各処理部は、移動端末４における対応する同名の各処理部（図５参照）と同様の処理を行うため、各処理部の説明は省略される。基地局１では、移動端末４と異なり、物理チャネルデータの送信前となるＩＦＦＴ部１３４ｃの入力前のサブキャリアマッピング部１３４ｂにおいてユーザの多重が行われる。また、物理チャネルデータの受信側では、サブキャリアデマッピング部１３１ｂにおいてユーザの分離が行われる。ＩＤＦＴ部１３１ｃ，復調実行部１３１ｄ，デレートマッチング部１３２ａ，ＨＡＲＱ合成部１３２ｂ，ターボ復号部１３２ｃ，及びＣＲＣチェック部１３２ｄは、セットでユーザごとに設けられる。ＣＲＣ付与部１３３ａ，ターボ符号化部１３３ｂ，レートマッチング部１３３ｃ，変調実行部１３４ａ，サブキャリアマッピング部１３４ｂも、セットでユーザごとに設けられる。基地局１では、データはユーザ単位で符号化処理と変調処理、及び、復調処理と復号処理が行われる。また、基地局１は、上位ノードと接続される。
【０１２０】
図１１は、基地局１のモビリティ制御部１５３の構成例を示す図である。基地局１のモビリティ制御部１５３は、ハンドオーバ制御部７１，記憶部７２，及び報知情報更新部７３を含む。
【０１２１】
報知情報更新部７３は、移動端末４に周辺の基地局の情報を通知するための報知情報を更新し、移動端末４に配信する。報知情報更新部７３は、報知情報に、自局の識別番号，移動端末４が位置するセルを含む周辺セルの局に関する情報，各局のセル遷移可否設定，移動式リレー局リスト等を含めて移動端末に配信する。周辺セルの基地局に関する情報は、例えば、各局の使用周波数などである。また、報知情報更新部７３は、移動式リレー局から移動式リレー局リストへの登録要求を受けた場合や、他局からの移動式リレー局リストの更新通知を受けた場合には、移動式リレー局リストを更新する。報知情報更新部７３は、更新された移動式リレー局リストを含めて報知情報を更新し移動端末に配信する。それとともに、報知情報更新部７３は、配下の基地局や固定式リレー局に移動式リレー局リストの更新通知を配信する。報知情報更新部７３は、報知情報が更新された場合には、記憶部７２に更新された報知情報を格納する。
【０１２２】
記憶部７２は、自局の種類，自局のセル遷移可否設定，移動式リレー局リスト，報知情報の構成要素等を保持する。記憶部７２に保持される自局の種類は、自局が基地局，固定式リレー局，移動式リレー局のいずれであるかを識別するための情報である。
【０１２３】
ハンドオーバ制御部７１は、移動端末４のハンドオーバを制御する。ハンドオーバ制御部７１は、第１ハンドオーバ判定部７１１，第２ハンドオーバ判定部７１２，及びハンドオーバ実行部７１３を含む。
【０１２４】
第１ハンドオーバ判定部７１１は、レイヤ２処理部１４を通じて、自身を選択局として接続する移動端末４からハンドオーバのトリガとなるＭｅａｓｕｒｅｍｅｎｔ  Ｒｅｐｏｒｔを受信すると、ハンドオーバ判定処理を開始する。第１ハンドオーバ判定部７１１は、Ｍｅａｓｕｒｅｍｅｎｔ  Ｒｅｐｏｒｔの送信元の移動端末４の遷移先候補局が移動式リレー局であるか否かの判定と、現在の選択局である自局から遷移先候補局へのハンドオーバの可否とを判定する。判定の結果、自局から遷移先候補局へのハンドオーバが可能である場合には、第１ハンドオーバ判定部７１１は、ハンドオーバ実行部７１３に、ハンドオーバの実行を指示する。
【０１２５】
第２ハンドオーバ判定部７１２は、第１ハンドオーバ判定部７１１でハンドオーバが許可されなかった場合に、Ｍｅａｓｕｒｅｍｅｎｔ  Ｒｅｐｏｒｔに含まれる移動端末４の移動式リレー局接続履歴に基づいて、ハンドオーバの可否を判定する。判定の結果、移動端末４が自局から遷移先候補局へハンドオーバが可能な場合には、第２ハンドオーバ判定部７１２は、ハンドオーバ実行部７１３にハンドオーバの実行を指示する。
【０１２６】
ハンドオーバ実行部７１３は、第１ハンドオーバ判定部７１１及び第２ハンドオーバ判定部７１２から遷移先候補局へのハンドオーバの実行の指示を受けると、遷移先候補局へのハンドオーバを実行する。ハンドオーバ実行部７１３は、遷移先候補局にＭｅａｓｕｒｅｍｅｎｔ  Ｒｅｐｏｒｔの送信元である移動端末４のハンドオーバの実行を要求するＨａｎｄｏｖｅｒ  Ｒｅｑｕｅｓｔを送信する。遷移先候補局から、Ｈａｎｄｏｖｅｒ  Ｒｅｑｕｅｓｔ  ＡＣＫの応答がある場合には、ハンドオーバ実行部７１３は、ハンドオーバの要求元である移動端末４にハンドオーバの実行を指示するＨａｎｄｏｖｅｒ  Ｃｏｍｍａｎｄを送信する。
【０１２７】
第１ハンドオーバ判定部７１１，第２ハンドオーバ判定部７１２は、態様の１つにおける「判定部」に相当する。
【０１２８】
図１２は、基地局１のハンドオーバ判定処理のフローの例を示す図である。基地局１は、自局を選択局として接続する移動端末４からＭｅａｓｕｒｅｍｅｎｔ  Ｒｅｐｏｒｔを受信すると、ハンドオーバ判定処理を開始する。
【０１２９】
第１ハンドオーバ判定部７１１は、Ｍｅａｓｕｒｅｍｅｎｔ  Ｒｅｐｏｒｔに含まれる移動端末４の遷移先候補局が移動式リレー局であるか否かを判定する（ＯＰ３１）。第１ハンドオーバ判定部７１１は、記憶部７２に保持される移動式リレー局リストと、Ｍｅａｓｕｒｅｍｅｎｔ  Ｒｅｐｏｒｔに含まれる遷移先候補局の識別番号とを比較して、遷移先候補局が移動式リレー局であるか否かを判定する。
【０１３０】
遷移先候補局が移動式リレー局でない場合には（ＯＰ３１：Ｎｏ）、自局（基地局１）から遷移先候補局への移動端末４のハンドオーバは許可される（図２参照）。第１ハンドオーバ判定部７１１は、ハンドオーバ実行部７１３に、移動端末４の遷移先候補局へのハンドオーバの実行を指示する。指示を受けたハンドオーバ実行部７１３は、移動端末４の遷移先候補局へのハンドオーバを実行する（ＯＰ３６）。ＯＰ３６におけるハンドオーバ実行部７１３の具体的な処理は以下の通りである。ハンドオーバ実行部７１３は、移動端末４の遷移先候補局へハンドオーバを要求するＨａｎｄｏｖｅｒ  Ｒｅｑｕｅｓｔを送信する。移動端末４の遷移先候補局からＨａｎｄｏｖｅｒ  Ｒｅｑｕｅｓｔ  Ａｃｋの応答があった場合、ハンドオーバ実行部７１３は、移動端末４にハンドオーバの実行を指示するＨａｎｄｏｖｅｒ  Ｃｏｍｍａｎｄを送信し、ハンドオーバ判定処理を終了する。
【０１３１】
遷移先候補局が移動式リレー局である場合には（ＯＰ３１：Ｙｅｓ）、移動端末４の現在の選択局の種別によって遷移先候補局である移動式リレー局へのハンドオーバは制限される（図２参照）。
【０１３２】
したがって、遷移先候補局が移動式リレー局である場合には（ＯＰ３１：Ｙｅｓ）、第１ハンドオーバ判定部７１１は、移動端末４の現在の選択局である自局から遷移先候補局（移動式リレー局）に遷移可能か否かを判定する（ＯＰ３２）。すなわち、第１ハンドオーバ判定部７１１は、記憶部７２に保持される自局のセル遷移可否設定が「許可」であるか否かを判定する。
【０１３３】
移動端末４の現在の選択局である自局のセル遷移可否設定が「許可」である場合には（ＯＰ３２：Ｙｅｓ）、移動端末４の遷移先候補局である移動式リレー局へのハンドオーバが許可される。なお、自局が移動体の乗降施設の周辺に設置される基地局（種別１）である場合に、セル遷移可否設定が「許可」に設定される。この場合、第１ハンドオーバ判定部７１１は、ハンドオーバ実行部７１３に、自局から移動式リレー局（遷移先候補局）へのハンドオーバの実行を指示する。指示を受けたハンドオーバ実行部７１３は、自局から移動式リレー局（遷移先候補局）へのハンドオーバを実行する（ＯＰ３６）。
【０１３４】
自局のセル遷移可否設定が「不許可」である場合には（ＯＰ３２：Ｎｏ）、自局が種別１以外の基地局（種別２）、または、移動式リレー局であることが示される。この場合、移動端末４の移動式リレー局接続履歴に保持されている移動式リレー局が遷移先候補局と一致するか否かによって、ハンドオーバの可否が決定される（図２参照）。したがって、処理が第１ハンドオーバ判定部７１１から第２ハンドオーバ判定部７１２に移り、第２ハンドオーバ判定部７１２は、Ｍｅａｓｕｒｅｍｅｎｔ  Ｒｅｐｏｒｔに含まれる移動端末４の移動式リレー局接続履歴を参照する。
【０１３５】
第２ハンドオーバ判定部７１２は、移動式リレー局接続履歴に保持されている移動式リレー局が遷移先候補局と一致するか否かを判定する（ＯＰ３５）。
【０１３６】
移動端末４の移動式リレー局接続履歴に保持されている移動式リレー局が遷移先候補局と一致しない場合には（ＯＰ３５：Ｎｏ）、第２ハンドオーバ判定部７１２は、ハンドオーバの不許可を判定し、ハンドオーバ判定処理を停止する（ＯＰ３４）。これによってハンドオーバ判定処理が終了する。
【０１３７】
移動端末４の移動式リレー局接続履歴に保持されている移動式リレー局が遷移先候補局と一致する場合には（ＯＰ３５：Ｙｅｓ）、第２ハンドオーバ判定部７１２は、ハンドオーバの許可を判定し、ハンドオーバ実行部７１３にハンドオーバの実行を指示する。指示を受けたハンドオーバ実行部７１３は、自局から移動式リレー局（遷移先候補局）へのハンドオーバを実行する（ＯＰ３６）。
【０１３８】
ＯＰ３５の処理によって、例えば、図１における移動端末４Ｂが移動式リレー局２から基地局１にハンドオーバし、さらに基地局１から移動式リレー局２に再びハンドオーバすることが可能になる。
【０１３９】
＜＜固定式リレー局の構成例＞＞
図１３は、固定式リレー局３の構成例を示す図である。固定式リレー局３は、移動端末４と基地局１とに無線接続される。固定式リレー局３と移動端末４との接続方法は、基地局１と移動端末４との接続方法と同じである。固定式リレー局３と基地局１との接続方法は、固定式リレー局３が基地局１に対して移動端末４のように振る舞い、移動端末４と基地局１との接続方法と同じである。したがって、固定式リレー局３は、基地局１の構成と移動端末４の構成とを有する。
【０１４０】
固定式リレー局３は、受信アンテナ３１ａ，３１ｄ，送信アンテナ３１ｂ，３１ｃ，無線部３２，３９，レイヤ１処理部３３，３８，レイヤ２処理部３４，３７，無線リソース制御部３５，及び、データ再構築部３６を備える。これら各ユニットは、ソフトウェアの構成要素又はハードウェアの構成要素、若しくはこれらの組み合わせとしてそれぞれ実現される（［その他］の項参照）。
【０１４１】
レイヤ１処理部３３は、復調部３３１，復号部３３２，符号化部３３３,変調部３３４を含む。復調部３３１は、ＦＦＴ部３３１ａ，サブキャリアマッピング部３３１ｂ，ＩＤＦＴ部３３１ｃ，及び復調実行部３３１ｄを含む。復号部３３２は、デレートマッチング部３３２ａ，ＨＡＲＱ部３３２ｂ，ターボ復号部３３２ｃ，及びＣＲＣチェック部３３２ｄを含む。符号化部３３３は、ＣＲＣ付与部３３３ａ，ターボ符号化部３３３ｂ，及びレートマッチング部３３３ｃを含む。変調部３３４は、変調実行部３３４ａ，サブキャリアマッピング部３３４ｂ，及びＩＦＦＴ部３３４ｃを含む。
【０１４２】
ＩＤＦＴ部３３１ｃ，復調実行部３３１ｄ，デレートマッチング部３３２ａ，ＨＡＲＱ合成部３３２ｂ，ターボ復号部３３２ｃ，及びＣＲＣチェック部３３２ｄは、セットでユーザごとに設けられる。ＣＲＣ付与部３３３ａ，ターボ符号化部３３３ｂ，レートマッチング部３３３ｃ，変調実行部３３４ａ，サブキャリアマッピング部３３４ｂも、セットでユーザごとに設けられる。
【０１４３】
無線リソース制御部３５は、接続制御部３５１，測定制御部３５２，及びモビリティ制御部３５３を含む。
【０１４４】
レイヤ１処理部３８は、符号化部３８１，変調部３８２，復調部３８３，及び復号部３８４を含む。符号化部３８１は、ＣＲＣ付与部３８１ａ，ターボ符号化部３８１ｂ，及びレートマッチング部３８１ｃを含む。変調部３８２は、変調実行部３８２ａ，ＤＦＴ部３８２ｂ，サブキャリアマッピング部３８２ｃ，及びＩＦＦＴ部３８２ｄを含む。復調部３８３は、ＦＦＴ部３８３ａ，及び復調実行部３８３ｂを含む。復号部３８４は、デレートマッチング部３８４ａ，ＨＡＲＱ合成部３８４ｂ，ターボ復号部３８４ｃ，及びＣＲＣチェック部３８４ｄを含む。
【０１４５】
固定式リレー局３に含まれる各処理部は、移動端末４（図５参照）及び基地局１（図１０参照）の対応する同名の各処理部と同様の処理を行うため、各処理部についての説明は省略される。
【０１４６】
固定式リレー局３は、データ再構築部３６を備える。固定式リレー局３が移動端末４から基地局１へ送信されるデータを中継する場合には、固定式リレー局３は、複数ユーザ（複数の移動端末４）のデータをまとめて送信する。固定式リレー局３が基地局１から固定式リレー局３の配下の移動端末４へ送信されるデータを中継する場合には、固定式リレー局３は、移動端末４ごとにデータを分離して処理する。したがって、データ再構築部３６は、移動端末４から基地局１へ送信されるデータを中継する場合には、複数のユーザのデータをまとめるためにデータの再構築を行う。また、データ再構築部３６は、基地局１から移動端末４へ送信されるデータを中継する場合には、データを移動端末４ごとに分離するためにデータの再構築を行う。
【０１４７】
固定式リレー局３のモビリティ制御部３５３の構成は、図１１に示される基地局１のモビリティ制御部１５３と同様であり、固定式リレー局３は、基地局１と同様に図１２に示されるハンドオーバ判定処理を実行する。
【０１４８】
＜＜移動式リレー局の構成例＞＞
図１４は、移動式リレー局２の構成例を示す図である。移動式リレー局２の構成は、移動式リレー局２自身がセル遷移するために、周辺セルを測定する測定部２８３ｃと、移動式リレー局２自身のセル遷移を制御するモビリティ制御部２５４が備えられる点以外は、固定式リレー局３と同様である。
【０１４９】
移動式リレー局２は、受信アンテナ２１ａ，２１ｄ，送信アンテナ２１ｂ，２１ｃ，無線部２２，２９，レイヤ１処理部２３，２８，レイヤ２処理部２４，２７，無線リソース制御部２５，及び、データ再構築部２６を備える。
【０１５０】
レイヤ１処理部２３は、復調部２３１，復号部２３２，符号化部２３３,変調部２３４
を含む。復調部２３１は、ＦＦＴ部２３１ａ，サブキャリアマッピング部２３１ｂ，ＩＤＦＴ部２３１ｃ，及び復調実行部２３１ｄを含む。復号部２３２は、デレートマッチング部２３２ａ，ＨＡＲＱ合成部２３２ｂ，ターボ復号部２３２ｃ，及びＣＲＣチェック部２３２ｄを含む。符号化部２３３は、ＣＲＣ付与部２３３ａ，ターボ符号化部２３３ｂ，及びレートマッチング部２３３ｃを含む。さらに、変調部２３４は、変調実行部２３４ａ，サブキャリアマッピング部２３４ｂ，及びＩＦＦＴ部２３４ｃを含む。
【０１５１】
ＩＤＦＴ部２３１ｃ，復調実行部２３１ｄ，デレートマッチング部２３２ａ，ＨＡＲＱ合成部２３２ｂ，ターボ復号部２３２ｃ，及びＣＲＣチェック部２３２ｄは、セットでユーザごとに設けられる。ＣＲＣ付与部２３３ａ，ターボ符号化部２３３ｂ，レートマッチング部２３３ｃ，変調実行部２３４ａ，サブキャリアマッピング部２３４ｂも、セットでユーザごとに設けられる。
【０１５２】
無線リソース制御部２５は、接続制御部２５１，測定制御部２５２，及びモビリティ制御部２５３，２５４を含む。モビリティ制御部２５３は、移動式リレー局の配下の移動端末４のハンドオーバ等を制御する。モビリティ制御部２５４は、移動式リレー局自身のハンドオーバ等を制御する。
【０１５３】
レイヤ１処理部２８は、符号化部２８１，変調部２８２，復調部２８３，及び復号部２８４を含む。符号化部２８１は、ＣＲＣ付与部２８１ａ，ターボ符号化部２８１ｂ，及びレートマッチング部２８１ｃを含む。変調部２８２は、変調実行部２８２ａ，ＤＦＴ部２８２ｂ，サブキャリアマッピング部２８２ｃ，及びＩＦＦＴ部２８２ｄを含む。復調部２８３は、ＦＦＴ部２８３ａ，復調実行部２８３ｂ，及び測定部２８３ｃを含む。復号部２８４は、デレートマッチング部２８４ａ，ＨＡＲＱ合成部２８４ｂ，ターボ復号部２８４ｃ，及びＣＲＣチェック部２８４ｄを含む。
【０１５４】
移動式リレー局２に含まれるモビリティ制御部２５３，２５４以外の各処理部は、固定式リレー局３（図１３参照）の対応する同名の各処理部と同様の処理を行うため、各処理部についての説明は省略される。
【０１５５】
図１５は、移動式リレー局２のモビリティ制御部２５３の構成例を示す図である。移動式リレー局２のモビリティ制御部２５３は、ハンドオーバ制御部９１，記憶部９２，及び報知情報生成部９３を含む。
【０１５６】
記憶部９２は、自局の識別番号と、予め設定された自局のセル遷移可否設定と、移動式リレー局リストとを保持する。移動式リレー局２のセル遷移可否設定には「不許可」が設定される（図８参照）。
【０１５７】
報知情報生成部９３は、例えば、他の局から移動式リレー局リストの更新通知を受信した場合などに、報知情報に記憶部９２に保持された移動式リレー局リストを含めて、配下の移動端末４に配信する。
【０１５８】
ハンドオーバ制御部９１は、自局に接続する移動端末４からレイヤ２処理部２４を通じてＭｅａｓｕｒｅｍｅｎｔ  Ｒｅｐｏｒｔを受信すると、移動端末４のハンドオーバに係る処理を実行する。ハンドオーバ制御部９１は、ハンドオーバ判定部９１１とハンドオーバ実行部９１２とを含む。
【０１５９】
ハンドオーバ判定部９１１は、Ｍｅａｓｕｒｅｍｅｎｔ  Ｒｅｐｏｒｔに含まれる移動端末４の遷移先候補局が移動式リレー局であるか否かを判定する。遷移先候補局が移動式リレー局である場合には、自局のセル遷移可否設定より、移動端末４のハンドオーバを許可せず、Ｍｅａｓｕｒｅｍｅｎｔ  Ｒｅｐｏｒｔを破棄し、ハンドオーバ判定処理を停止する。遷移先候補局が移動式リレー局でない場合には、移動端末４のハンドオーバを許可し、ハンドオーバ実行部９１２に移動端末４のハンドオーバの実行を指示する。ハンドオーバ判定部９１１は、態様の１つにおける「判定部」に相当する。
【０１６０】
ハンドオーバ実行部９１２は、ハンドオーバ判定部９１１から移動端末４のハンドオーバの実行の指示を受けると、遷移先候補局にハンドオーバの実行を要求するＨａｎｄｏｖｅｒ  Ｒｅｑｕｅｓｔを送信する。遷移先候補局からＨａｎｄｏｖｅｒ  Ｒｅｑｕｅｓｔ  ＡＣＫが受信されると、ハンドオーバ実行部９１２は移動端末４にハンドオーバ実行を指示するＨａｎｄｏｖｅｒ  Ｃｏｍｍａｎｄを送信し、ハンドオーバ判定処理を終了する。
【０１６１】
図１６は、移動式リレー局２のハンドオーバ判定処理のフローの例を示す図である。移動式リレー局２は、自局に接続する移動端末４からＭｅａｓｕｒｅｍｅｎｔ  Ｒｅｐｏｒｔを受信するとハンドオーバ判定処理を開始する。
【０１６２】
移動式リレー局２のハンドオーバ判定部９１１は、Ｍｅａｓｕｒｅｍｅｎｔ  Ｒｅｐｏｒｔに含まれる移動端末４の遷移先候補局が移動式リレー局であるか否かを判定する（ＯＰ４１）。ハンドオーバ判定部９１１は、記憶部９２に保持される移動式リレー局リストとＭｅａｓｕｒｅｍｅｎｔ  Ｒｅｐｏｒｔに含まれる遷移先候補局の識別番号とを比較し、遷移先候補局が移動式リレー局であるか否かを判定する。
【０１６３】
遷移先候補局が移動式リレー局である場合には（ＯＰ４１：Ｙｅｓ）、セル遷移可否設定より、自局（移動式リレー局）からのハンドオーバは許可されない（図８参照）。ハンドオーバ判定部９１１は、Ｍｅａｓｕｒｅｍｅｎｔ  Ｒｅｐｏｒｔを破棄し、ハンドオーバ判定処理を停止する（ＯＰ４３）。
【０１６４】
遷移先候補局が移動式リレー局でない場合には（ＯＰ４１：Ｎｏ）、自局からのハンドオーバは許可される。ハンドオーバ判定部９１１は、ハンドオーバ実行部９１２に遷移先候補局へのハンドオーバの実行を指示する。指示を受けると、ハンドオーバ実行部９１２は、遷移先候補局にハンドオーバを要求するＨａｎｄｏｖｅｒ  Ｒｅｑｕｅｓｔを送信する（ＯＰ４２）。遷移先候補局からＨａｎｄｏｖｅｒ  Ｒｅｑｕｅｓｔ  ＡＣＫが受信されると、ハンドオーバ実行部９１２は、移動端末４にＨａｎｄｏｖｅｒ  Ｃｏｍｍａｎｄを送信し、ハンドオーバの実行を指示する。これによって、ハンドオーバ判定処理が終了する。
【０１６５】
＜移動式リレー局の移動式リレー局リストへの登録処理＞
図１７は、図１に示される例において、新たに移動式リレー局２が追加された場合の、移動式リレー局２の移動式リレー局リストへの登録処理の例を示す図である。図１に示される例において、固定式リレー局３は基地局１の配下にいるとする。また、移動式リレー局２は、基地局１のセル内で電源が投入されるものとする。
【０１６６】
移動式リレー局２に電源が投入されると、移動式リレー局２は、自局が接続すべき上位局として、基地局１を検出する。移動式リレー局２の無線リソース制御部２５は、基地局１に移動式リレー局リスト登録要求を送信する（ＯＰ５２）。移動式リレー局リスト登録要求には、自身の識別番号とセル遷移可否設定とが含められる。
【０１６７】
移動式リレー局２の報知情報生成部９３は、記憶部９２に保持される移動式リレー局リストを含めた報知情報を生成し、自身の配下の移動端末４に報知情報を配信する（ＯＰ５３）。
【０１６８】
基地局１の報知情報更新部７３は、移動式リレー局リスト登録要求を受信すると、移動式リレー局リストに移動式リレー局２の識別番号を登録して、移動式リレー局リストを更新する（ＯＰ５４）。
【０１６９】
移動式リレー局リストの更新が完了すると、基地局１の報知情報更新部７３は、基地局１の配下の固定式リレー局３を含む局に、移動式リレー局リスト更新通知を送信する。（ＯＰ５５）。移動式リレー局リスト更新通知は、追加登録された移動式リレー局２の情報を基地局１の配下の局へ通知するためのメッセージである。基地局１の報知情報更新部７３は、更新された移動式リレー局リストを含めて報知情報を更新し、自身の配下の移動端末４に配信する（ＯＰ５６）。
【０１７０】
移動式リレー局リスト更新通知を受信した固定式リレー局３は、移動式リレー局リストを更新する（ＯＰ５７）。固定式リレー局３は、更新された移動式リレー局リストを含めて報知情報を更新し、配下の移動端末４に配信する（ＯＰ５８）。
【０１７１】
以上のようにして、新たに追加された移動式リレー局２の情報が、無線通信ネットワークシステム１００内に配信される。
【０１７２】
＜動作例１：基地局１から移動式リレー局２へ移動端末４Ａがハンドオーバする場合の例＞
図１８は、動作例１を説明するための図である。なお、図１８に示される無線通信ネットワークシステム１００は、図１に示される無線通信ネットワークシステム１００と同様のものである。図１８において、移動端末４Ａは、基地局１のセル内に位置しており、基地局１に接続して通信中である。移動式リレー局２は、基地局１のセル内を移動しており、自身のセル内に位置する移動端末と基地局１との接続を中継する。
【０１７３】
動作例１では、移動式リレー局２の接近によって、基地局１に接続して通信中の移動端末４Ａが移動式リレー局２へのハンドオーバの要求を送信し、基地局１が移動端末４Ａのハンドオーバの可否を判定する例が説明される。無線通信ネットワークシステム１００では、移動端末４Ａの基地局１から移動式リレー局へのハンドオーバは禁止されるので、基地局１は、移動端末４Ａの移動式リレー局へのハンドオーバを許可しない。
【０１７４】
図１９は、動作例１のフローを示す図である。移動端末４Ａの移動式リレー局接続履歴には、基地局１に接続する以前には、移動式リレー局２に接続した履歴がない、すなわち、初期状態（無効：Invalid）であるとする。
【０１７５】
移動端末４Ａは、周辺の局を検出し、各局からの信号の受信品質を測定する（ＯＰ６１）。移動端末４Ａは、測定の結果、現在の選択局である基地局１からの信号の受信品質が最も良いか否かを判定する（ＯＰ６２）。図１８において、電車５０の移動によって移動式リレー局２が移動端末４Ａに接近すると、基地局１からの信号よりも移動式リレー局２からの信号の受信品質の方が良くなる場合がある。移動式リレー局２からの信号の受信品質の方が良くなる場合には、移動端末４Ａは、受信品質は移動式リレー局２が最も良いことを判定する（ＯＰ６２：Ｎｏ）。
【０１７６】
受信品質が最も良い局が変更になったので、移動端末４Ａは、現在接続している基地局１にハンドオーバを要求するため、Ｍｅａｓｕｒｅｍｅｎｔ  Ｒｅｐｏｒｔを送信する（ＯＰ６３）。このときのＭｅａｓｕｒｅｍｅｎｔ  Ｒｅｐｏｒｔには、移動端末４Ａ自身の端末識別番号と、遷移先候補局である移動式リレー局２の識別番号と、移動端末４Ａが保持する移動式リレー局接続履歴とが含められる。
【０１７７】
移動端末４ＡからＭｅａｓｕｒｅｍｅｎｔ  Ｒｅｐｏｒｔを受信すると、基地局１は、移動端末４Ａのハンドオーバ判定処理を実行する（ＯＰ６４）。動作例１における基地局１のハンドオーバ判定処理は、図１２を参照して、以下の通りである。
【０１７８】
基地局１（第１ハンドオーバ判定部７１１）は、移動端末４Ａから受信されたＭｅａｓｕｒｅｍｅｎｔ  Ｒｅｐｏｒｔから、遷移先候補局が移動式リレー局であるか否かを判定する（図１２、ＯＰ３１）。遷移先候補局は移動式リレー局２であるので（図１２、ＯＰ３１：Ｙｅｓ）、処理がＯＰ３２に進む。
【０１７９】
基地局１（第１ハンドオーバ判定部７１１）は、自局から移動式リレー局２へハンドオーバが可能か否かを、自局のセル遷移可否設定より、判定する（図１２、ＯＰ３２）。基
地局１は、電車５０のルート上の乗降場所（駅）以外に設置された基地局であるので基地局１のセル遷移可否設定は、「不許可」である（図８参照）。したがって、基地局１から移動式リレー局２へのハンドオーバは不許可であり（図１２、ＯＰ３２：Ｎｏ）、処理がＯＰ３５に進む。
【０１８０】
基地局１（第２ハンドオーバ判定部７１２）は、Ｍｅａｓｕｒｅｍｅｎｔ  Ｒｅｐｏｒｔに含まれる移動式リレー局接続履歴から、移動端末４Ａが遷移先候補の移動式リレー局に接続したことがあるか否かを判定する（図１２、ＯＰ３５）。移動端末４Ａの移動式リレー局接続履歴には、移動式リレー局への接続履歴がないため（図１２、ＯＰ３５：Ｎｏ）、基地局１は、Ｍｅａｓｕｒｅｍｅｎｔ  Ｒｅｐｏｒｔを破棄し、ハンドオーバ判定処理を終了する（図１２、ＯＰ３４）。
【０１８１】
したがって、基地局１のハンドオーバ判定処理の結果、移動端末４Ａの基地局１から移動式リレー局２へのハンドオーバは許可されず、移動端末４Ａはハンドオーバを実行せずに、基地局１に接続したまま通信を継続する。移動端末４Ａの移動式リレー局接続履歴は、ハンドオーバが実行されなかったので、初期状態（無効：Invalid）のままである。
【０１８２】
以上より、移動端末４Ａが安定して接続可能な基地局１から移動式リレー局２へハンドオーバすることを回避することができ、移動端末４Ａの通信の瞬断を回避し、ネットワーク負荷が低減され、効率のよい通信を提供することができる。
【０１８３】
＜動作例２：移動端末４Ｂが移動式リレー局２→基地局１→移動式リレー局２とハンドオーバする場合の例＞
図２０は、動作例２を説明するための図である。なお、図２０に示される無線通信ネットワークシステム１００は、図１に示される無線通信ネットワークシステム１００と同様のものである。図２０において、移動端末４Ｂは、電車５０の乗客が所有する端末であって、移動式リレー局２に接続して通信中である。移動式リレー局２は、基地局１のセル内を移動しており、自身のセル内に位置する移動端末４Ｂと基地局１との接続を中継する。
【０１８４】
動作例２では、電車５０が基地局１の近くを通過するときに、移動端末４Ｂが基地局１へハンドオーバし、さらに、電車５０が基地局１から離れた場合に、再び移動式リレー局２にハンドオーバする例が説明される。
【０１８５】
図２１Ａ及び図２１Ｂは、動作例２のフローを示す図である。移動端末４Ｂは、移動式リレー局２に接続しており、移動式リレー局接続履歴には、移動式リレー局２の識別番号が保持されている。
【０１８６】
移動端末４Ｂは、定期的に行われる、周辺の局の検出処理と、各局からの信号の受信品質の測定処理を実行する（ＯＰ７１）。移動端末４Ｂは、測定の結果、選択局である移動式リレー局２からの信号の受信品質が最も良いか否かを判定する（ＯＰ７２）。図２０において、電車５０の移動によって移動式リレー局２が基地局１に接近すると、基地局１からの信号の方が移動式リレー局２からの信号よりも受信品質が良くなる場合がある。この場合、移動端末４Ｂは、受信品質は基地局１が最も良いことを判定する（ＯＰ７２：Ｎｏ）。
【０１８７】
受信品質が最も良い局が変更になったので、移動端末４Ｂは、現在接続している移動式リレー局２にハンドオーバを要求するためのＭｅａｓｕｒｅｍｅｎｔ  Ｒｅｐｏｒｔを送信する（ＯＰ７３）。このときのＭｅａｓｕｒｅｍｅｎｔ  Ｒｅｐｏｒｔには、移動端末４Ｂ自身の端末識別番号と、遷移先候補局である基地局１の識別番号と、移動端末４Ｂが保持する移動式リレー局接続履歴とが含められる。
【０１８８】
移動端末４ＢからＭｅａｓｕｒｅｍｅｎｔ  Ｒｅｐｏｒｔを受信すると、移動式リレー局２は、移動端末４Ｂのハンドオーバ判定処理を実行する（ＯＰ７４）。動作例２における移動式リレー局のハンドオーバ判定処理は、図１６を参照して、以下の通りである。
【０１８９】
移動式リレー局２（ハンドオーバ判定部９１１）は、移動端末４Ｂから受信されたＭｅａｓｕｒｅｍｅｎｔ  Ｒｅｐｏｒｔから、遷移先候補局が移動式リレー局であるか否かを判定する（図１６、ＯＰ４１）。遷移先候補局は基地局１であるので（図１６、ＯＰ４１：Ｎｏ）、移動式リレー局２から基地局１へのハンドオーバは許可される（図２参照）。
【０１９０】
移動式リレー局２は、遷移先候補局である基地局１に移動端末４Ｂのハンドオーバを要求するためのＨａｎｄｏｖｅｒ  Ｒｅｑｕｅｓｔを送信する（図１６：ＯＰ４２、図２１Ａ：ＯＰ７５）。
【０１９１】
移動式リレー局２からＨａｎｄｏｖｅｒ  Ｒｅｑｕｅｓｔを受信すると、基地局１は、移動端末４Ｂのハンドオーバを許容すること示すＨａｎｄｏｖｅｒ  Ｒｅｑｕｅｓｔ  ＡＣＫを移動式リレー局２に送信する（ＯＰ７６）。
【０１９２】
基地局１からＨａｎｄｏｖｅｒ  Ｒｅｑｕｅｓｔ  ＡＣＫを受信すると、移動式リレー局２は、移動端末４Ｂにハンドオーバの実行を指示するＨａｎｄｏｖｅｒ  Ｃｏｍｍａｎｄを送信する（ＯＰ７７）。
【０１９３】
Ｈａｎｄｏｖｅｒ  Ｃｏｍｍａｎｄを受信すると、移動端末４Ｂは、移動式リレー局２から基地局１へのハンドオーバを実行する（ＯＰ７８）。移動端末４Ｂが遷移先の基地局１にＨａｎｄｏｖｅｒ  Ｃｏｍｐｌｅｔｅを送信する（ＯＰ７９）と、ハンドオーバが完了し、移動端末４Ｂは基地局１に接続して通信を行う。ことのき、移動端末４Ｂの移動式リレー局接続履歴は、ハンドオーバが移動式リレー局ではないので、変更されず、移動式リレー局２の識別番号を保持したままとなる。
【０１９４】
電車５０が基地局１から離れていくと、移動端末４Ｂの受信環境が変化し、基地局１よりも移動式リレー局２の方が受信品質が良くなる。
【０１９５】
移動端末４Ｂは、定期的に行われる、周辺の局の検出処理と、各局からの信号の受信品質の測定処理を実行し（ＯＰ８０）、基地局１よりも移動式リレー局２の方が受信品質が良いことを判定する（ＯＰ８１：Ｎｏ）。
【０１９６】
受信品質が最も良い局が変更になったので、移動端末４Ｂは、現在接続している基地局１にハンドオーバを要求するためのＭｅａｓｕｒｅｍｅｎｔ  Ｒｅｐｏｒｔを送信する（ＯＰ８２）。このときのＭｅａｓｕｒｅｍｅｎｔ  Ｒｅｐｏｒｔには、移動端末４Ｂ自身の端末識別番号と、遷移先候補局である移動式リレー局２の識別番号と、移動端末４Ｂが保持する移動式リレー局接続履歴とが含められる。このときの移動端末４Ｂの移動式リレー局接続履歴には、直近に接続していた移動式リレー局２の識別番号が格納されている。
【０１９７】
移動端末４ＢからＭｅａｓｕｒｅｍｅｎｔ  Ｒｅｐｏｒｔを受信すると、基地局１は、移動端末４Ｂのハンドオーバ判定処理を実行する（ＯＰ８３）。動作例２における基地局１のハンドオーバ判定処理は、図１２を参照して、以下の通りである。
【０１９８】
基地局１（第１ハンドオーバ判定部７１１）は、移動端末４Ｂから受信されたＭｅａｓｕｒｅｍｅｎｔ  Ｒｅｐｏｒｔから、遷移先候補局が移動式リレー局であるか否かを判定する（図１２、ＯＰ３１）。遷移先候補局は移動式リレー局２であるので（図１２、ＯＰ３１：Ｙｅｓ）、処理がＯＰ３２に進む。
【０１９９】
基地局１（第１ハンドオーバ判定部７１１）は、自局から移動式リレー局へハンドオーバが可能か否かを、自局のセル遷移可否設定より、判定する（図１２、ＯＰ３２）。基地局１のセル遷移可否設定は、「不許可」である（図８参照）ので、基地局１から移動式リレー局へのハンドオーバは不許可である（図１２、ＯＰ３２：Ｎｏ）。
【０２００】
基地局１（第２ハンドオーバ判定部７１２）は、Ｍｅａｓｕｒｅｍｅｎｔ  Ｒｅｐｏｒｔに含まれる移動式リレー局接続履歴から、移動端末４Ｂが遷移先候補局に接続したことがあるか否かを判定する（ＯＰ３５）。移動端末４Ｂの移動式リレー局接続履歴には、直近に接続していた移動式リレー局２が格納されているので（図１２、ＯＰ３５：Ｙｅｓ）、基地局１は、移動端末４Ｂの移動式リレー局２へのハンドオーバを許可する。
【０２０１】
基地局１は、遷移先候補局である移動式リレー局２に移動端末４Ｂのハンドオーバを要求するＨａｎｄｏｖｅｒ  Ｒｅｑｕｅｓｔを送信する（図１２：ＯＰ３６、図２１Ｂ：ＯＰ８４）。
【０２０２】
基地局１からＨａｎｄｏｖｅｒ  Ｒｅｑｕｅｓｔを受信すると、移動式リレー局２は、移動端末４Ｂのハンドオーバを許容すること示すＨａｎｄｏｖｅｒ  Ｒｅｑｕｅｓｔ  ＡＣＫを基地局１に送信する（ＯＰ８５）。
【０２０３】
移動式リレー局２からＨａｎｄｏｖｅｒ  Ｒｅｑｕｅｓｔ  ＡＣＫを受信すると、基地局１は、移動端末４Ｂにハンドオーバの実行を指示するＨａｎｄｏｖｅｒ  Ｃｏｍｍａｎｄを送信する（ＯＰ８６）。
【０２０４】
Ｈａｎｄｏｖｅｒ  Ｃｏｍｍａｎｄを受信すると、移動端末４Ｂは、基地局１から移動式リレー局２へのハンドオーバを実行する（ＯＰ８７）。移動端末４Ｂは、ハンドオーバ先が移動式リレー局であるので、移動式リレー局接続履歴に移動式リレー局２の識別番号を上書きして更新する。移動端末４Ｂが遷移先の基地局１にＨａｎｄｏｖｅｒ  Ｃｏｍｐｌｅｔｅを送信する（ＯＰ８８）と、ハンドオーバが完了し、移動端末４Ｂは移動式リレー局２に接続して通信を行う。
【０２０５】
以上より、基地局１のセル遷移は可否設定が「不許可」である場合にも、移動端末４Ｂの移動式リレー局接続履歴に遷移先候補局と同一の移動式リレー局がある場合には、すなわち、直近に接続していた移動式リレー局と遷移先候補局とが一致する場合には、基地局１から移動式リレー局２へのハンドオーバが許可される。これによって、移動式リレー局２に接続する移動端末４Ｂが移動式リレー局２から基地局１にハンドオーバし、さらに基地局１から移動式リレー局２に再びハンドオーバすることが可能となる。
【０２０６】
＜動作例３：移動端末４Ｃが固定式リレー局３から移動式リレー局２にハンドオーバする場合の例＞
図２２は、動作例３を説明するための図である。なお、図２２に示される無線通信ネットワークシステム１００は、図１に示される無線通信ネットワークシステム１００と同様のものである。図２２において、移動端末４Ｃは、固定式リレー局３のセル内に位置しており、固定式リレー局３に接続して通信中である。固定式リレー局３は、基地局１のセル内に位置しており、自身のセル内に位置する移動端末４Ｃと基地局１との接続を中継する。
【０２０７】
動作例３では、移動式リレー局２が固定式リレー局３に接近した場合に、固定式リレー局３に接続して通信中の移動端末４Ｃが移動式リレー局２へハンドオーバすることの可否を固定式リレー局３が判定する例が説明される。無線通信ネットワークシステム１００では、移動端末４Ｃの固定式リレー局３から移動式リレー局２へのハンドオーバは許可されるので、移動端末４Ｃは移動式リレー局２にハンドオーバ可能である。
【０２０８】
図２３は、動作例３のフローを示す図である。移動端末４Ｃは、固定式リレー局３に接続する以前には、移動式リレー局への接続履歴がなく、移動式リレー局接続履歴は初期状態（無効：Invalid）であるとする。
【０２０９】
移動端末４Ｃは、定期的な周辺の局を検出処理と各局からの信号の受信品質の測定処理を実行する（ＯＰ９１）。図２２において、電車５０の移動によって移動式リレー局２が移動端末４Ｃに接近すると、固定式リレー局３からの信号よりも移動式リレー局２からの信号の受信品質の方が良くなる場合がある。移動端末４Ｃは、測定の結果、選択局である固定式リレー局３よりも移動式リレー局２の信号の受信品質が良いことを判定する（ＯＰ９２：Ｎｏ）。
【０２１０】
移動端末４Ｃは、現在接続している固定式リレー局３にハンドオーバを要求するためのＭｅａｓｕｒｅｍｅｎｔ  Ｒｅｐｏｒｔを送信する（ＯＰ９３）。このときのＭｅａｓｕｒｅｍｅｎｔ  Ｒｅｐｏｒｔには、移動端末４Ｃ自身の端末識別番号と、遷移先候補局である移動式リレー局２の識別番号と、移動端末４Ｃが保持する移動式リレー局接続履歴とが含められる。
【０２１１】
移動端末４ＣからＭｅａｓｕｒｅｍｅｎｔ  Ｒｅｐｏｒｔを受信すると、固定式リレー局３は、移動端末４Ｃのハンドオーバ判定処理を実行する（ＯＰ９４）。動作例３における固定式リレー局３のハンドオーバ判定処理は、図１２を参照して、以下の通りである。
【０２１２】
固定式リレー局３（第１ハンドオーバ判定部７１１）は、移動端末４Ｃから受信されたＭｅａｓｕｒｅｍｅｎｔ  Ｒｅｐｏｒｔから、遷移先候補局が移動式リレー局であることを判定する（図１２、ＯＰ３１：Ｙｅｓ）。
【０２１３】
次に、固定式リレー局３（第１ハンドオーバ判定部７１１）は、自局から移動式リレー局２へハンドオーバが可能か否かを、自局のセル遷移可否設定より、判定する（図１２、ＯＰ３２）。固定式リレー局３は、電車５０の乗降施設（駅）の周辺に設置された固定式リレー局（種別１）であるので固定式リレー局３のセル遷移可否設定は、「許可」である（図８参照）。したがって、固定式リレー局３から移動式リレー局２へのハンドオーバは許可される（図１２、ＯＰ３２：Ｙｅｓ）。
【０２１４】
固定式リレー局３は、遷移先候補局である移動式リレー局２に移動端末４Ｃのハンドオーバを要求するＨａｎｄｏｖｅｒ  Ｒｅｑｕｅｓｔを送信する（図１２：ＯＰ３６、図２３：ＯＰ９５）。Ｈａｎｄｏｖｅｒ  Ｒｅｑｕｅｓｔは、基地局１を経由して移動式リレー局２に送信される。
【０２１５】
固定式リレー局３からＨａｎｄｏｖｅｒ  Ｒｅｑｕｅｓｔを受信すると、移動式リレー局２は、移動端末４Ｃのハンドオーバを許容すること示すＨａｎｄｏｖｅｒ  Ｒｅｑｕｅｓｔ  ＡＣＫを固定式リレー局３に送信する（ＯＰ９６）。
【０２１６】
基地局１を経由して移動式リレー局２からＨａｎｄｏｖｅｒ  Ｒｅｑｕｅｓｔ  ＡＣＫを受信すると、固定式リレー局３は、移動端末４Ｃにハンドオーバの実行を指示するＨａｎｄｏｖｅｒ  Ｃｏｍｍａｎｄを送信する（ＯＰ９７）。
【０２１７】
Ｈａｎｄｏｖｅｒ  Ｃｏｍｍａｎｄを受信すると、移動端末４Ｃは、固定式リレー局３から移動式リレー局２へのハンドオーバを実行する（ＯＰ９８）。移動端末４Ｃは、ハンドオーバ先が移動式リレー局であるので、移動式リレー局接続履歴に移動式リレー局２の識別番号を格納して更新する。移動端末４Ｃが遷移先の移動式リレー局２にＨａｎｄｏｖｅｒ  Ｃｏｍｐｌｅｔｅを送信すると（ＯＰ９９）、ハンドオーバが完了し、移動端末４Ｃは移動式リレー局２に接続して通信を行う。
【０２１８】
以上より、電車５０の乗降施設（駅）の周辺に設置された固定式リレー局３に接続して通信を行う移動端末４Ｃが、固定式リレー局３から移動式リレー局２にハンドオーバすることが可能であることが示される。
【０２１９】
＜動作例４：基地局１から移動式リレー局２へ移動端末４Ａがリセレクションする場合の例＞
動作例４は、図１８において、移動式リレー局２の接近によって、基地局１を選択局とする待ち受け状態の移動端末４Ａが移動式リレー局２へのリセレクション判定を行う場合の動作例である。無線通信ネットワークシステム１００では、移動端末４Ａの基地局１から移動式リレー局２へのリセレクションは許可されないので、移移動端末４Ａは、移動式リレー局２へのリセレクションを実行しない。
【０２２０】
図２４は、動作例４のフローを示す図である。移動端末４Ａは、待ち受け状態であり、基地局１を選択局としている。移動端末４Ａは、基地局１に接続する以前には、移動式リレー局２に接続した接続履歴がなく、移動式リレー局接続履歴は初期状態（無効：Invalid）であるとする。
【０２２１】
移動端末４Ａは、周辺の局の検出処理と、各局からの信号の受信品質の測定処理とを実行する（ＯＰ１０１）。移動端末４Ａは、測定の結果、選択局である基地局１からの信号の受信品質が最も良いか否かを判定する（ＯＰ１０２）。図１８において、電車５０の移動によって移動式リレー局２が移動端末４Ａに接近すると、基地局１からの信号よりも移動式リレー局２からの信号の受信品質の方が良くなる場合がある。この場合には、移動端末４Ａは、受信品質は移動式リレー局２が最も良いことを判定する（ＯＰ１０２：Ｎｏ）。
【０２２２】
受信品質が最も良い局が変更になったので、移動端末４Ａは、リセレクション判定を実行する（ＯＰ１０３）。動作例４における移動端末４Ａのリセレクション判定処理は、図９を参照して、以下の通りである。
【０２２３】
移動端末４Ａ（第１リセレクション判定部６２）は、遷移先候補局が移動式リレー局であるか否かを判定する（図９、ＯＰ２１）。遷移先候補局は移動式リレー局２であるので（図９、ＯＰ２１：Ｙｅｓ）、移動端末４Ａ（第１リセレクション判定部６２）は、現在の選択局から移動式リレー局へリセレクション可能か否かを判定する（図９、ＯＰ２２）。移動端末４Ａの現在の選択局は、基地局１である。基地局１は、電車５０の乗降施設（駅）から十分離れた位置に設置された基地局（種別２）であるので、基地局１のセル遷移可否設定は「不許可」である。したがって、移動端末４Ａ（第１リセレクション判定部６１２）は、基地局１から移動式リレー局２へのリセレクションは不許可であることを判定する（図９、ＯＰ２２：Ｎｏ）。
【０２２４】
移動端末４Ａ（第１リセレクション判定部６１２）は、記憶部６６に保持される移動式リレー局接続履歴から、移動端末４Ａが直近に接続した移動式リレー局と遷移先候補局である移動式リレー局２が一致するか否かを判定する（図９、ＯＰ２５）。移動端末４Ａの移動式リレー局接続履歴には、無効（Invalid）が保持されており、移動式リレー局への接続履歴がないため（ＯＰ２５：Ｎｏ）、移動端末４Ａ（第１リセレクション判定部６１２）は、リセレクション判定処理を終了する（図９、ＯＰ２４）。
【０２２５】
したがって、移動端末４Ａのリセレクション判定処理の結果、基地局１から移動式リレー局２へのリセレクションは許可されず、移動端末４Ａはリセレクションを実行しない。また、リセレクションが行われなかったため、移動端末４Ａの移動式リレー局接続履歴は、変更されず、無効（Invalid）を保持したままとなる。
【０２２６】
以上より、移動端末４Ａが安定して接続可能な基地局１から移動式リレー局２へのリセレクションを回避することができ、ネットワーク効率を向上させることができる。
【０２２７】
＜動作例５：移動端末４Ｂが移動式リレー局２→基地局１→移動式リレー局２にリセレクションする場合の例＞
動作例５では、図２０において、電車５０が基地局１の近くを通過するときに、待ち受け状態の移動端末４Ｂが基地局１へリセレクションし、さらに、再び移動式リレー局２にリセレクションする場合の動作例である。
【０２２８】
図２５Ａ及び図２５Ｂは、動作例５のフローを示す図である。移動端末４Ｂの現在の選択局は移動式リレー局２であり、移動式リレー局接続履歴には、移動式リレー局２の識別番号が保持される。
【０２２９】
移動端末４Ｂは、定期的に行われる、周辺の局の検出処理と、各局からの信号の受信品質の測定処理を実行する（ＯＰ１１１）。移動端末４Ｂは、測定の結果、選択局である移動式リレー局２からの信号の受信品質が最も良いか否かを判定する（ＯＰ１１２）。図２０において、電車５０の移動によって移動式リレー局２が基地局１に接近すると、基地局１からの信号の方が移動式リレー局２からの信号よりも受信品質が良くなる場合がある。この場合、移動端末４Ｂは、受信品質は基地局１が最も良いことを判定する（ＯＰ１１２：Ｎｏ）。
【０２３０】
受信品質が最も良い局が変更になったので、移動端末４Ｂは、リセレクション判定処理を実行する（ＯＰ１１３）。動作例５における移動端末４Ｂのリセレクション判定処理は、図９を参照して、以下の通りである。
【０２３１】
移動端末４Ｂ（第１リセレクション判定部６２）は、遷移先候補局が移動式リレー局であるか否かを判定する（図９、ＯＰ２１）。遷移先候補局は基地局１であるので（図９、ＯＰ２１：Ｎｏ）、移動式リレー局２から基地局１へのリセレクションは許可される。
【０２３２】
移動端末４Ｂは、遷移先候補局の基地局１から、報知情報を取得し（ＯＰ１１４）、現在の選択局である移動式リレー局２から基地局１へのリセレクションを実行する（図９：ＯＰ２６、図２５Ａ：ＯＰ１１５）。リセレクション先は基地局１であり、移動式リレー局ではないので、移動式リレー局接続履歴は、変更されず、移動式リレー局２の識別番号を維持する。
【０２３３】
電車５０が基地局１から離れていくと、移動端末４Ｂの受信環境が変化し、基地局１よりも移動式リレー局２の受信品質の方が良くなる。
【０２３４】
移動端末４Ｂは、定期的に行われる、周辺の局の検出処理と、各局からの信号の受信品質の測定処理を実行し（ＯＰ１１６）、基地局１よりも移動式リレー局２の受信品質の方が良いことを判定する（ＯＰ１１７：Ｎｏ）。
【０２３５】
受信品質が最も良い局が基地局１から移動式リレー局２に変更されたので、移動端末４Ｂは、リセレクション判定処理を実行する（ＯＰ１１８）。動作例５における移動端末４Ｂのリセレクション判定処理は、図９を参照して、以下の通りである。
【０２３６】
移動端末４Ｂ（第１リセレクション判定部６２）は、遷移先候補局が移動式リレー局であるか否かを判定する（図９、ＯＰ２１）。遷移先候補局は移動式リレー局２であり、（図９、ＯＰ２１：Ｙｅｓ）、現在の選択局である基地局１のセル遷移可否設定は「不許可」である（図９、ＯＰ２２：Ｎｏ）。
【０２３７】
移動端末４Ｂ（第２リセレクション判定部６３）は、記憶部６６に保持される移動式リレー局接続履歴から、直近に接続した移動式リレー局と遷移先候補局である移動式リレー局２とが一致するか否かを判定する（図９、ＯＰ２５）。移動端末４Ｂの移動式リレー局接続履歴には、直近に接続していた移動式リレー局２の識別番号が格納されており、遷移先候補局と一致するので（図９、ＯＰ２５：Ｙｅｓ）、移動端末４Ｂは移動式リレー局２へのリセレクションを許可する。
【０２３８】
移動端末４Ｂは、遷移先候補局である移動式リレー局２から、報知情報を取得し（ＯＰ１１９）、現在の選択局である基地局１から移動式リレー局２へのリセレクションを実行する（図９：ＯＰ２６、図２５Ｂ：ＯＰ１２０）。リセレクションが完了したら、移動端末４Ｂは、移動式リレー局接続履歴に移動式リレー局２の識別番号を上書きして更新する（図９、ＯＰ２７）。
【０２３９】
以上より、基地局１のセル遷移可否設定が「不許可」である場合にも、移動端末４Ｂの移動式リレー局接続履歴に保持される移動式リレー局が遷移先候補局の移動式リレー局と一致する場合には、基地局１から移動式リレー局２へのリセレクションが許可される。これによって、移動式リレー局２に接続する移動端末４Ｂが移動式リレー局２から基地局１にリセレクションし、さらに基地局１から移動式リレー局２に再びリセレクションすることが可能となる。
【０２４０】
＜動作例６：移動端末４Ｃが固定式リレー局３から移動式リレー局２にリセレクションする場合の例＞
動作例６では、図２２に示される例において、移動式リレー局２が固定式リレー局３に接近した場合に、待ち受け状態の移動端末４Ｃが固定式リレー局３から移動式リレー局２へリセレクションする例が説明される。無線通信ネットワークシステム１００では、移動端末４Ｃの固定式リレー局３から移動式リレー局２へのリセレクションは許可されるので、移動端末４Ｃは移動式リレー局２にリセレクション可能である。
【０２４１】
図２６は、動作例６のフローを示す図である。移動端末４Ｃは、固定式リレー局以前に移動式リレー局への接続履歴がなく、移動式リレー局接続履歴は初期状態（無効：Invalid）であるとする。
【０２４２】
移動端末４Ｃは、定期的な周辺の局を検出処理と各局からの信号の受信品質の測定処理を実行する（ＯＰ１２１）。図２２において、電車５０の移動によって移動式リレー局２が移動端末４Ｃに接近すると、固定式リレー局３からの信号よりも移動式リレー局２からの信号の受信品質の方が良くなる場合がある。移動端末４Ｃは、測定の結果、選択局である固定式リレー局３よりも移動式リレー局２の信号の受信品質が良いことを判定する（ＯＰ１２２：Ｎｏ）。
【０２４３】
移動端末４Ｃは、リセレクション判定処理を実行する（ＯＰ１２３）。動作例６における固定式リレー局３のリセレクション判定処理は、図９を参照して、以下の通りである。
【０２４４】
移動端末４Ｃ（第１リセレクション判定部６２）は、遷移先候補局が移動式リレー局であるか否かを判定する（図９、ＯＰ２１）。遷移先候補局は移動式リレー局２であるので（図９、ＯＰ２１：Ｙｅｓ）、移動端末４Ｃ（第１リセレクション判定部６２）は、現在の選択局である固定式リレー局３から移動式リレー局２へリセレクションが可能か否かを判定する。固定式リレー局３は、電車５０の乗降施設（駅）の周辺に設置された固定式リレー局である（種別１）ので固定式リレー局３のセル遷移可否設定は、「許可」である（図８参照）。したがって、固定式リレー局３から移動式リレー局２へのリセレクションは許可される（図９、ＯＰ２２：Ｙｅｓ）。
【０２４５】
移動端末４Ｃは、遷移先候補局である移動式リレー局２から、報知情報を取得し（ＯＰ１２４）、現在の選択局である固定式リレー局３から移動式リレー局２へのリセレクションを実行する（図９：ＯＰ２６、図２６：ＯＰ１２５）。リセレクションが完了したら、移動端末４Ｃは、リセレクション先が移動式リレー局であるので移動式リレー局接続履歴を移動式リレー局２の識別番号で更新する（図９、ＯＰ２７）。
【０２４６】
以上より、電車５０の乗降施設の周辺に設置された固定式リレー局３（種別１）を選択局として待ち受け状態の移動端末４Ｃが、固定式リレー局３から移動式リレー局２にリセレクションすることが可能であることが示される。
【０２４７】
＜第１実施形態の作用効果＞
第１実施形態では、電車やバスなどの特定のルートを通る公共交通機関の移動体の乗降施設の周辺に設置されているか否かによって、基地局および固定式リレー局から移動式リレー局へのセル遷移の可否を設定する。これによって、例えば、図１に示される移動端末４Ａが基地局１から移動式リレー局２へのハンドオーバ及びリセレクションなどの、好ましくない処理が回避され、ネットワーク負荷が低減する。
【０２４８】
また、直近に接続した移動式リレー局と遷移先候補局である移動式リレー局とが一致する場合には、移動体の乗降施設の周辺以外に設置された基地局や固定式リレー局から移動式リレー局へのセル遷移は許可される。これによって、例えば、図１に示される移動端末４Ｂが、電車５０の移動にしたがって、移動式リレー局２から基地局１にハンドオーバし、さらに、再び基地局１から移動式リレー局２にハンドオーバして戻ってくることができる。
【０２４９】
第１実施形態では、基地局１，移動式リレー局２，固定式リレー局３がそれぞれ、移動端末４の自局から他局へのハンドオーバの可否を判定した。移動式リレー局２および固定式リレー局３にハンドオーバの可否判定をするだけの処理能力がない場合には、基地局１において一元的にハンドオーバの可否判定を行ってもよい。基地局１は、各局のセル遷移可否設定を報知情報などから取得し、移動端末からのＭｅａｓｕｒｅｍｅｎｔ  Ｒｅｐｏｒｔを移動式リレー局２又は固定式リレー局３を経由して受信するように構成することによって、実現可能である。
【０２５０】
＜第２実施形態＞
第１実施形態では、ハンドオーバ判定処理は、基地局，固定式リレー局，及び移動式リレー局の局側で行われた。第２実施形態では、ハンドオーバ判定処理を、移動端末が行う。第２実施形態では、第１実施形態と共通する説明は省略される。
【０２５１】
＜＜移動端末のモビリティ制御部の構成例＞＞
図２７は、移動端末４のモビリティ制御部４５３の構成例を示す図である。移動端末４のモビリティ制御部４５３は、第１実施形態で説明された測定値取得部６１，第１リセレクション判定部６２，第２リセレクション判定部６３，リセレクション実行部６４，ハンドオーバ実行部６５，及び記憶部６６に加えて、さらに、第１ハンドオーバ判定部６７と第２ハンドオーバ判定部６８とを含む。
【０２５２】
第１ハンドオーバ判定部６７は、測定値取得部６１から遷移先候補局が通知されると、遷移先候補局と現在の選択局とが同一か否かを判定する。遷移先候補局と現在の選択局とが異なる場合には、すなわち、信号の受信品質が最も良い局が変わった場合には、第１ハンドオーバ判定部６７は、ハンドオーバ判定処理を開始する。第１ハンドオーバ判定部６７は、遷移先候補局が移動式リレー局であるか否かの判定と、現在の選択局から遷移先候補局へのハンドオーバの可否とを判定する。判定の結果、現在の選択局から遷移先候補局へのハンドオーバが可能である場合には、第１ハンドオーバ判定部６７は、ハンドオーバ実行部６５に、ハンドオーバの実行を指示する。
【０２５３】
第２ハンドオーバ判定部６８は、第１ハンドオーバ判定部６７でハンドオーバが許可されなかった場合に、記憶部６６に保持される移動式リレー局接続履歴に基づいて、ハンドオーバの可否を判定する。判定の結果、現在の選択局から遷移先候補局へハンドオーバが可能な場合には、第２ハンドオーバ判定部６８は、ハンドオーバ実行部６５にハンドオーバの実行を指示する。
【０２５４】
第１ハンドオーバ判定部６７，第２ハンドオーバ判定部６８は、態様の１つにおける「判定部」に相当する。
【０２５５】
図２８は、移動端末４のハンドオーバ判定処理のフローの例を示す図である。移動端末４は、測定値取得部６１の各局の受信品質の測定の結果、最も受信品質の良い局が変更になった場合に、ハンドオーバ判定処理を開始する。
【０２５６】
第１ハンドオーバ判定部６７は、遷移先候補局が移動式リレー局であるか否かを判定する（ＯＰ１３１）。第１ハンドオーバ判定部６７は、記憶部６６に保持される移動式リレー局リストと遷移先候補局の識別番号とを比較して、遷移先候補局が移動式リレー局であるか否かを判定する。
【０２５７】
遷移先候補局が移動式リレー局でない場合には（ＯＰ１３１：Ｎｏ）、現在の選択局からのハンドオーバは許可される（図２参照）。第１ハンドオーバ判定部６７は、ハンドオーバの許可を判定し、ハンドオーバ実行部６５にハンドオーバの実行を指示する。指示を受けたハンドオーバ実行部６５は、現在の選択局から遷移先候補局へのハンドオーバを要求するＭｅａｓｕｒｅｍｅｎｔ  Ｒｅｐｏｒｔを現在の選択局に送信し（ＯＰ１３６ｂ）、ハンドオーバ判定処理が終了する。
【０２５８】
遷移先候補局が移動式リレー局である場合には（ＯＰ１３１：Ｙｅｓ）、移動端末４の現在の選択局の種別によって遷移先候補局である移動式リレー局へのハンドオーバは制限される（図２参照）。
【０２５９】
したがって、移動端末４の遷移先候補局が移動式リレー局である場合には（ＯＰ１３１：Ｙｅｓ）、第１ハンドオーバ判定部６７は、現在の選択局から遷移先候補局（移動式リレー局）に遷移可能か否かを判定する（ＯＰ１３２）。すなわち、第１ハンドオーバ判定部６７は、記憶部６６に保持される現在の選択局のセル遷移可否設定が「許可」であるか否かを判定する。
【０２６０】
現在の選択局のセル遷移可否設定が「許可」である場合には（ＯＰ１３２：Ｙｅｓ）、遷移先候補局である移動式リレー局へのハンドオーバが許可される。なお、この場合、選択局が移動体の乗降施設の周辺に設置される基地局および固定式リレー局（種別１）であることが示される。第１ハンドオーバ判定部６７は、ハンドオーバの許可を判定し、ハンドオーバ実行部６５にハンドオーバの実行を指示する。指示を受けたハンドオーバ実行部６５は、現在の選択局から遷移先候補局へのハンドオーバを要求するＭｅａｓｕｒｅｍｅｎｔ  Ｒｅｐｏｒｔを現在の選択局に送信する（ＯＰ１３６ａ）。
【０２６１】
現在の選択局のセル遷移可否設定が「不許可」である場合には（ＯＰ１３２：Ｎｏ）、現在の選択局が移動式リレー局、又は、種別１以外の基地局及び固定式リレー局（種別２）であることが示される。この場合、移動端末４が直近に接続した移動式リレー局が遷移先候補局と一致するか否かによって、ハンドオーバの可否が決定される（図２参照）。したがって、処理が第１ハンドオーバ判定部６７から第２ハンドオーバ判定部６８に移り、第２ハンドオーバ判定部６８は、記憶部６６に保持される移動式リレー局接続履歴を参照する。第２ハンドオーバ判定部６８は、移動端末４が直近に接続した移動式リレー局が遷移先候補局と一致するか否かを判定する（ＯＰ１３５）。移動端末４の直近に接続した移動式リレー局が遷移先候補局と一致しない場合には（ＯＰ１３５：Ｎｏ）、第２ハンドオーバ判定部６８は、ハンドオーバの不許可を判定し、ハンドオーバ判定処理を停止する（ＯＰ１３４）。これによってハンドオーバ判定処理が終了する。
【０２６２】
移動端末４の直近に接続した移動式リレー局が遷移先候補局と一致する場合には（ＯＰ１３５：Ｙｅｓ）、第２ハンドオーバ判定部６８は、ハンドオーバの許可を判定し、ハンドオーバ実行部６５にハンドオーバの実行を指示する。指示を受けたハンドオーバ実行部６５は、現在の選択局から遷移先候補局へのハンドオーバを要求するＭｅａｓｕｒｅｍｅｎｔ  Ｒｅｐｏｒｔを現在の選択局に送信する（ＯＰ１３６ａ）。
【０２６３】
ハンドオーバが完了すると、ハンドオーバ実行部６５は遷移先候補局が移動式リレー局の場合、記憶部６６内の移動式リレー局接続履歴を遷移先の移動式リレー局の識別番号で更新する（ＯＰ１３７）。移動式リレー局接続履歴の更新が完了すると、ハンドオーバ判定処理が終了する。
【０２６４】
移動端末４は、局からの報知情報より、周辺の局の識別番号とセル遷移可否設定を保持することによって、ハンドオーバの可否を判定することができる。局側ではなく、移動端末側でハンドオーバの判定が行われることによって、ハンドオーバが許可されない場合に、無駄なＭｅａｓｕｒｅｍｅｎｔ  Ｒｅｐｏｒｔの送信を回避することができ、ネットワーク負荷を低減することができる。
【０２６５】
＜＜基地局、固定式リレー局のモビリティ制御部の構成例＞＞
図２９は、基地局１及び固定式リレー局３のモビリティ制御部１５３，３５３の構成例を示す図である。
【０２６６】
モビリティ制御部１５３，３５３は、ハンドオーバ実行部７１３と、記憶部７２と、報知情報更新部７３とを含む。
【０２６７】
ハンドオーバ実行部７１３は、移動端末４からＭｅａｓｕｒｅｍｅｎｔ  Ｒｅｐｏｒｔを受信すると、遷移先候補局にハンドオーバの要求をするためのＨａｎｄｏｖｅｒ  Ｒｅｑｕｅｓｔを送信する。
【０２６８】
記憶部７２及び報知情報更新部７３は、第1実施形態で説明された通りであるため、説明は省略される。
【０２６９】
＜＜移動式リレー局のモビリティ制御部の構成例＞＞
図３０は、移動式リレー局２のモビリティ制御部２５３の構成例を示す図である。移動式リレー局２のモビリティ制御部２５３は、ハンドオーバ実行部９１２と、報知情報生成部９３と、記憶部９２とを含む。
【０２７０】
ハンドオーバ実行部９１２は、移動端末４からＭｅａｓｕｒｅｍｅｎｔ  Ｒｅｐｏｒｔを受信すると、遷移先候補局にハンドオーバの要求をするためのＨａｎｄｏｖｅｒ  Ｒｅｑｕｅｓｔを送信する。
【０２７１】
記憶部９２及び報知情報生成部９３は、第1実施形態で説明された通りであるため、説
明は省略される。
【０２７２】
＜動作例７：基地局１から移動式リレー局２へ移動端末４Ａがハンドオーバする場合の例＞
動作例７では、図１８に示される無線通信ネットワークシステム１００において、移動式リレー局２の接近によって、基地局１に接続して通信中の移動端末４Ａ自身がハンドオーバの可否を判定する例が説明される。無線通信ネットワークシステム１００では、移動端末４Ａの基地局１から移動式リレー局へのハンドオーバは禁止されるので、移動端末４Ａは自身の移動式リレー局へのハンドオーバを許可しない。
【０２７３】
図３１は、動作例７のフローを示す図である。移動端末４Ａは、基地局１に接続する以前には、移動式リレー局２に接続した接続履歴がなく、移動式リレー局接続履歴は初期状態（無効：Invalid）であるとする。
【０２７４】
移動端末４Ａは、周辺の局を検出し、各局からの信号の受信品質を測定する（ＯＰ１４１）。移動端末４Ａは、測定の結果、選択局である基地局１からの信号の受信品質が最も良いか否かを判定する（ＯＰ１４２）。図１８において、移動体５０の移動によって移動式リレー局２が移動端末４Ａに接近すると、基地局１からの信号よりも移動式リレー局２からの信号の受信品質の方が良くなる場合がある。したがって、移動端末４Ａは、受信品質は移動式リレー局２が最も良いことを判定する（ＯＰ１４２：Ｎｏ）。
【０２７５】
移動端末４Ａはハンドオーバ判定処理を実行する（ＯＰ１４３）。動作例７における移動端末４Ａのハンドオーバ判定処理は、図２８を参照して、以下の通りである。
【０２７６】
移動端末４Ａ（第１ハンドオーバ判定部６７）は、遷移先候補局が移動式リレー局であるか否かを判定する（図２８、ＯＰ１３１）。遷移先候補局は移動式リレー局２であるので（図２８、ＯＰ１３１：Ｙｅｓ）、移動端末４Ａ（第１ハンドオーバ判定部６７）は、現在の選択局である基地局１から移動式リレー局２へハンドオーバが可能か否かを判定する（図２８、ＯＰ１３２）。基地局１は、電車５０の乗降施設（駅）から十分離れた位置に設置された基地局（種別２）であるので基地局１のセル遷移可否設定は、「不許可」である（図８参照）。したがって、基地局１から移動式リレー局２へのハンドオーバは不許可であり（図２８、ＯＰ１３２：Ｎｏ）、処理がＯＰ１３５に進む。
【０２７７】
移動端末４Ａ（第２ハンドオーバ判定部６８）は、記憶部６６に保持される移動式リレー局接続履歴から、直近に接続した移動式リレー局と遷移先候補局である移動式リレー局とが一致するか否かを判定する（図２８、ＯＰ１３５）。移動端末４Ａの移動式リレー局接続履歴には、移動式リレー局への接続履歴がないため（図２８、ＯＰ１３５：Ｎｏ）、移動端末４Ａはハンドオーバ判定処理を終了する（ＯＰ１３４）。
【０２７８】
したがって、移動端末４Ａのハンドオーバ判定処理の結果、基地局１から移動式リレー局２へのハンドオーバは許可されず、移動端末４Ａはハンドオーバを実行せずに、基地局１に接続したまま通信を継続する。
【０２７９】
以上より、移動端末４Ａが安定して接続可能な基地局１から移動式リレー局２へハンドオーバすることを回避することができ、効率のよい通信を提供することができる。また、移動端末４Ａ自身がハンドオーバの可否を判定することによって、ハンドオーバが許可されない場合に、無駄なＭｅａｓｕｒｅｍｅｎｔ  Ｒｅｐｏｒｔの送信を防ぐことができる。
【０２８０】
＜動作例８：移動端末４Ｂが移動式リレー局２→基地局１→移動式リレー局２とハンドオーバする場合の例＞
動作例８では、図２０に示される例において、電車５０が基地局１の近くを通過するときに、移動端末４Ｂが基地局１へハンドオーバし、さらに、再び移動式リレー局２にハンドオーバする例が説明される。
【０２８１】
図３２Ａ及び図３２Ｂは、動作例８のフローを示す図である。移動端末４Bは、移動式リレー局２に接続しており、移動式リレー局接続履歴には、移動式リレー局２の識別番号が保持されている。
【０２８２】
移動端末４Ｂは、定期的に行われる、周辺の局の検出処理と、各局からの信号の受信品質の測定処理を実行する（ＯＰ１５１）。図２０において、電車５０の移動によって移動式リレー局２が基地局１に接近すると、基地局１からの信号の方が移動式リレー局２からの信号よりも受信品質が良くなる場合がある。移動端末４Ｂは、測定の結果、選択局である移動式リレー局２からの信号の受信品質より、基地局１の受信品質の方が良いことを判定する（ＯＰ１５２：Ｎｏ）。
【０２８３】
受信品質が最も良い局が変更になったので、移動端末４Ｂは、ハンドオーバ判定処理を実行する（ＯＰ１５３）。動作例８における移動式リレー局のハンドオーバ判定処理は、図２８を参照して、以下の通りである。
【０２８４】
移動端末４Ｂ（第１ハンドオーバ判定部６７）は、遷移先候補局が移動式リレー局であるか否かを判定する（図２８、ＯＰ１３１）。遷移先候補局は基地局１であるので（図２８、ＯＰ１３１：Ｎｏ）、移動式リレー局２から基地局１へのハンドオーバは許可される（図２参照）。
【０２８５】
移動端末４Ｂは、現在接続している移動式リレー局２にハンドオーバを要求するためのＭｅａｓｕｒｅｍｅｎｔ  Ｒｅｐｏｒｔを送信する（ＯＰ１５４）。このときのＭｅａｓｕｒｅｍｅｎｔ  Ｒｅｐｏｒｔには、移動端末４Ｂ自身の端末識別番号と、遷移先候補局である基地局１の識別番号とが含められる。
【０２８６】
移動式リレー局２は、移動端末４ＢからＭｅａｓｕｒｅｍｅｎｔ  Ｒｅｐｏｒｔを受信すると、遷移先候補局である基地局１に移動端末４Ｂのハンドオーバを要求するためのＨａｎｄｏｖｅｒ  Ｒｅｑｕｅｓｔを送信する（ＯＰ１５５）。
【０２８７】
移動式リレー局２からＨａｎｄｏｖｅｒ  Ｒｅｑｕｅｓｔを受信すると、基地局１は、移動端末４Ｂのハンドオーバを許容すること示すＨａｎｄｏｖｅｒ  Ｒｅｑｕｅｓｔ  ＡＣＫを移動式リレー局２に送信する（ＯＰ１５６）。
【０２８８】
基地局１からＨａｎｄｏｖｅｒ  Ｒｅｑｕｅｓｔ  ＡＣＫを受信すると、移動式リレー局２は、移動端末４Ｂにハンドオーバの実行を指示するＨａｎｄｏｖｅｒ  Ｃｏｍｍａｎｄを送信する（ＯＰ１５７）。
【０２８９】
Ｈａｎｄｏｖｅｒ  Ｃｏｍｍａｎｄを受信すると、移動端末４Ｂ（ハンドオーバ実行部６５）は、移動式リレー局２から基地局１へのハンドオーバを実行する（ＯＰ１５８）。移動端末４Ｂが遷移先の基地局１にＨａｎｄｏｖｅｒ  Ｃｏｍｐｌｅｔｅを送信する（ＯＰ１５９）と、ハンドオーバが完了し、移動端末４Ｂは基地局１に接続して通信を行う。このとき、ハンドオーバ先は基地局１であって移動式リレー局ではないので、移動式リレー局接続履歴は変更されず、そのまま移動式リレー局２の識別番号が維持される。
【０２９０】
その後、電車５０が基地局１から離れていくと、移動端末４Ｂの受信環境が変化し、基地局１よりも移動式リレー局２の受信品質の方が良くなる。
【０２９１】
移動端末４Ｂは、定期的に行われる、周辺の局の検出処理と、各局からの信号の受信品質の測定処理を実行し（ＯＰ１６０）、基地局１よりも移動式リレー局２の受信品質の方が良いことを判定する（ＯＰ１６１：Ｎｏ）。
【０２９２】
移動端末４Ｂ（第１ハンドオーバ判定部６７）は、ハンドオーバ判定処理を実行する（ＯＰ１６２）。動作例８における移動端末４Ｂのハンドオーバ判定処理は、図２８を参照して、以下の通りである。
【０２９３】
移動端末４Ｂ（第１ハンドオーバ判定部６７）は、現在の選択局（基地局１）から移動式リレー局２へハンドオーバが可能か否かを、記憶部６６に保持されるセル遷移可否設定より、判定する（図２８、：ＯＰ１３１、ＯＰ１３２）。基地局１のセル遷移可否設定は、「不許可」である（図８参照）ので、基地局１から移動式リレー局２へのハンドオーバは不許可である（図２８、ＯＰ１３２：Ｎｏ）。
【０２９４】
移動端末４Ｂ（第２ハンドオーバ判定部６８）は、記憶部６６に保持される移動式リレー局接続履歴から、直近に接続した移動式リレー局が遷移先候補局である移動式リレー局２であるか否かを判定する（図２８：ＯＰ１３５）。移動端末４Ｂの移動式リレー局接続履歴には、直近に接続した移動式リレー局として移動式リレー局２が格納されているので（図２８：ＯＰ１３５：Ｙｅｓ）、移動端末４Ｂは移動式リレー局２へのハンドオーバを許可する。
【０２９５】
移動端末４Ｂは、現在接続している基地局１にハンドオーバを要求するため、Ｍｅａｓｕｒｅｍｅｎｔ  Ｒｅｐｏｒｔを送信する（図２８：ＯＰ１３６ａ、図３２Ｂ：ＯＰ１６３）。このときのＭｅａｓｕｒｅｍｅｎｔ  Ｒｅｐｏｒｔには、移動端末４Ｂ自身の端末識別番号と、遷移先候補局である移動式リレー局２の識別番号とが含められる。
【０２９６】
基地局１は、移動端末４ＡからＭｅａｓｕｒｅｍｅｎｔ  Ｒｅｐｏｒｔを受信すると、遷移先候補局である移動式リレー局２に移動端末４Ｂのハンドオーバを要求するＨａｎｄｏｖｅｒ  Ｒｅｑｕｅｓｔを送信する（ＯＰ１６４）。
【０２９７】
基地局１からＨａｎｄｏｖｅｒ  Ｒｅｑｕｅｓｔを受信すると、移動式リレー局２は、移動端末４Ｂのハンドオーバを許容すること示すＨａｎｄｏｖｅｒ  Ｒｅｑｕｅｓｔ  ＡＣＫを基地局１に送信する（ＯＰ１６５）。
【０２９８】
移動式リレー局２からＨａｎｄｏｖｅｒ  Ｒｅｑｕｅｓｔ  ＡＣＫを受信すると、基地局１は、移動端末４Ｂにハンドオーバの実行を指示するＨａｎｄｏｖｅｒ  Ｃｏｍｍａｎｄを送信する（ＯＰ１６６）。
【０２９９】
Ｈａｎｄｏｖｅｒ  Ｃｏｍｍａｎｄを受信すると、移動端末４Ｂは、基地局１から移動式リレー局２へのハンドオーバを実行する（ＯＰ１６７）。移動端末４Ｂは、移動式リレー局接続履歴に移動式リレー局２の識別番号を上書きして更新する（図２８：ＯＰ１３７）。移動端末４Ｂが遷移先の移動式リレー局２にＨａｎｄｏｖｅｒ  Ｃｏｍｐｌｅｔｅを送信する（ＯＰ１６８）と、ハンドオーバが完了し、移動端末４Ｂは移動式リレー局２に接続して通信を行う。
【０３００】
＜動作例９：移動端末４Ｃが固定式リレー局３から移動式リレー局２にハンドオーバする場合の例＞
動作例９では、図２２に示される例において、移動式リレー局２が固定式リレー局３に接近した場合に、通信中の移動端末４Ｃが移動式リレー局２へのハンドオーバの可否を判定する例が説明される。無線通信ネットワークシステム１００では、移動端末４Ｃの固定式リレー局３から移動式リレー局２へのハンドオーバは許可されるので、移動端末４Ｃは移動式リレー局２にハンドオーバ可能である。
【０３０１】
図３３は、動作例９のフローを示す図である。移動端末４Ｃは、固定式リレー局３以前に移動式リレー局への接続履歴がなく、移動式リレー局接続履歴は初期状態（無効：Invalid）であるとする。
【０３０２】
移動端末４Ｃは、定期的な周辺の局を検出処理と各局からの信号の受信品質の測定処理を実行する（ＯＰ１７１）。図２２において、電車５０の移動によって移動式リレー局２が移動端末４Ｃに接近すると、固定式リレー局３からの信号よりも移動式リレー局２からの信号の受信品質の方が良くなる。移動端末４Ｃは、測定の結果、選択局である固定式リレー局３よりも移動式リレー局２の信号の受信品質が良いことを判定する（ＯＰ１７２：Ｎｏ）。
【０３０３】
移動端末４Ｃは、ハンドオーバ判定処理を実行する（ＯＰ１７３）。動作例９における固定式リレー局３のハンドオーバ判定処理は、図２８を参照して、以下の通りである。
【０３０４】
移動端末４Ｃ（第１ハンドオーバ判定部６７）は、遷移先候補局が移動式リレー局であることを判定する（図２８、ＯＰ１３１：Ｙｅｓ）。
【０３０５】
次に、移動端末４Ｃ（第１ハンドオーバ判定部６７）は、現在の選択局から移動式リレー局２へハンドオーバが可能か否かを、セル遷移可否設定より、判定する（図２８、ＯＰ１３２）。固定式リレー局３は、電車５０の乗降施設の周辺に設置された固定式リレー局である（種別１）ので固定式リレー局３のセル遷移可否設定は、「許可」である（図８参照）。したがって、固定式リレー局３から移動式リレー局２へのハンドオーバは許可される（図２８、ＯＰ１３２：Ｙｅｓ）。
【０３０６】
移動端末４Ｃは、現在接続している固定式リレー局３にハンドオーバを要求するためのＭｅａｓｕｒｅｍｅｎｔ  Ｒｅｐｏｒｔを送信する（図２８：ＯＰ１３６ａ、図３３：ＯＰ１７４）。このときのＭｅａｓｕｒｅｍｅｎｔ  Ｒｅｐｏｒｔには、移動端末４Ｃ自身の端末識別番号と、遷移先候補局である移動式リレー局２の識別番号とが含められる。
【０３０７】
固定式リレー局３は、遷移先候補局である移動式リレー局２に移動端末４Ｃのハンドオーバを要求するＨａｎｄｏｖｅｒ  Ｒｅｑｕｅｓｔを送信する（ＯＰ１７５）。Ｈａｎｄｏｖｅｒ  Ｒｅｑｕｅｓｔは、基地局１を経由して移動式リレー局２に送信される。
【０３０８】
固定式リレー局３からＨａｎｄｏｖｅｒ  Ｒｅｑｕｅｓｔを受信すると、移動式リレー局２は、移動端末４Ｃのハンドオーバを許容すること示すＨａｎｄｏｖｅｒ  Ｒｅｑｕｅｓｔ  ＡＣＫを固定式リレー局３に送信する（ＯＰ１７６）。
【０３０９】
基地局１を経由して移動式リレー局２からＨａｎｄｏｖｅｒ  Ｒｅｑｕｅｓｔ  ＡＣＫを受信すると、固定式リレー局３は、移動端末４Ｃにハンドオーバの実行を指示するＨａｎｄｏｖｅｒ  Ｃｏｍｍａｎｄを送信する（ＯＰ１７７）。
【０３１０】
Ｈａｎｄｏｖｅｒ  Ｃｏｍｍａｎｄを受信すると、移動端末４Ｃは、固定式リレー局３から移動式リレー局２へのハンドオーバを実行する（ＯＰ１７８）。移動端末４Ｃは、ハンドオーバ先が移動式リレー局であるので、移動式リレー局接続履歴に移動式リレー局２の識別番号を格納して更新する（図２８、ＯＰ１３７）。移動端末４Ｃが遷移先の移動式リレー局２にＨａｎｄｏｖｅｒ  Ｃｏｍｐｌｅｔｅを送信すると（ＯＰ１７９）、ハンドオーバが完了し、移動端末４Ｃは移動式リレー局２に接続して通信を行う。
【０３１１】
以上より、移動端末４Ｃがハンドオーバの可否判定を行う場合にも、移動端末４Ｃが、固定式リレー局３から移動式リレー局２にハンドオーバすることが可能であることが示される。
【０３１２】
＜第２実施形態の作用効果＞
移動端末自身がハンドオーバの可否を判定することによって、ハンドオーバが許可されない場合に、無駄なＭｅａｓｕｒｅｍｅｎｔ  Ｒｅｐｏｒｔの送信を防ぐことができ、ネットワークの帯域消費を低減することができる。
【０３１３】
［その他］
〈ハードウェアの構成要素（Component）及びソフトウェアの構成要素（Component）について〉
ハードウェアの構成要素とは、ハードウェア回路であり、例えば、フィールド・プログラマブル・ゲートアレイ（ＦＰＧＡ）、特定用途向け集積回路（ＡＳＩＣ）、ゲートアレイ、論理ゲートの組み合わせ、信号処理回路、アナログ回路等がある。
【０３１４】
ソフトウェアの構成要素とは、ソフトウェアとして上記機能を実現する部品（断片）であり、そのソフトウェアを実現する言語、開発環境等を限定する概念ではない。ソフトウェアの構成要素としては、例えば、タスク、プロセス、スレッド、ドライバ、ファームウェア、データベース、テーブル、関数、プロシジャ、サブルーチン、プログラムコードの所定の部分、データ構造、配列、変数、パラメータ等がある。これらソフトウェアの構成要素は、１又は複数のメモリ（１または複数のプロセッサ（例えば、ＣＰＵ（Central Processing Unit）、ＤＳＰ（Digital Signal Processor）等）上で実現される。
【０３１５】
なお、上述の各実施形態は、上記各処理部の実現手法を限定するものではないため、上記各処理部は、上記ハードウェアの構成要素又はソフトウェアの構成要素若しくはこれらの組み合わせとして、本技術分野の通常の技術者において実現可能な手法により構成されていればよい。
【符号の説明】
【０３１６】
１         基地局
２         移動式リレー局
３         固定式リレー局
４         移動端末
５０       電車
６１       測定値取得部
６２       第１リセレクション判定部
６３       第２リセレクション判定部
６４       リセレクション実行部
６５       ハンドオーバ実行部（移動端末）
６６       記憶部（移動端末）
６７       第１ハンドオーバ判定部（移動端末）
６８       第２ハンドオーバ判定部（移動端末）
７１       ハンドオーバ制御部
７２       記憶部（基地局、固定式リレー局）
７３       報知情報更新部
９１       ハンドオーバ制御部（移動式リレー局）
９２       記憶部（移動式リレー局）
９３       報知情報生成部（移動式リレー局）
１００     無線通信ネットワーク
１５３     モビリティ制御部（基地局）
２５３     モビリティ制御部（移動式リレー局）
３５３     モビリティ制御部（固定式リレー局）
４５３     モビリティ制御部（移動端末）
７１１     第１ハンドオーバ判定部（基地局、固定式リレー局）
７１２     第２ハンドオーバ判定部（基地局、固定式リレー局）
７１３     ハンドオーバ実行部（基地局、固定式リレー局）
９１１     ハンドオーバ判定部（移動式リレー局）
９１２     ハンドオーバ実行部（移動式リレー局）
【図１】
0005429355.tif 000002
【図２】
0005429355.tif 000003
【図３】
0005429355.tif 000004
【図４】
0005429355.tif 000005
【図５】
0005429355.tif 000006
【図６】
0005429355.tif 000007
【図７】
0005429355.tif 000008
【図８】
0005429355.tif 000009
【図９】
0005429355.tif 000010
【図１０】
0005429355.tif 000011
【図１１】
0005429355.tif 000012
【図１２】
0005429355.tif 000013
【図１３】
0005429355.tif 000014
【図１４】
0005429355.tif 000015
【図１５】
0005429355.tif 000016
【図１６】
0005429355.tif 000017
【図１７】
0005429355.tif 000018
【図１８】
0005429355.tif 000019
【図１９】
0005429355.tif 000020
【図２０】
0005429355.tif 000021
【図２１Ａ】
0005429355.tif 000022
【図２１Ｂ】
0005429355.tif 000023
【図２２】
0005429355.tif 000024
【図２３】
0005429355.tif 000025
【図２４】
0005429355.tif 000026
【図２５Ａ】
0005429355.tif 000027
【図２５Ｂ】
0005429355.tif 000028
【図２６】
0005429355.tif 000029
【図２７】
0005429355.tif 000030
【図２８】
0005429355.tif 000031
【図２９】
0005429355.tif 000032
【図３０】
0005429355.tif 000033
【図３１】
0005429355.tif 000034
【図３２Ａ】
0005429355.tif 000035
【図３２Ｂ】
0005429355.tif 000036
【図３３】
0005429355.tif 000037
【図３４】
0005429355.tif 000038